(57)【特許請求の範囲】
【請求項１】
ポリシ及び課金ルール機能（ＰＣＲＦ）によって、サービスのサービス情報を取得する段階であって、前記サービス情報は、前記サービスを示すパラメータであり、サービス識別情報を含む、段階と、
前記ＰＣＲＦによって、ユーザ情報及び前記サービス情報に従って、前記サービスがサービス品質（ＱｏＳ）保証を必要とすることを示す情報及びサービスチェーン情報を取得する段階と、
前記ＰＣＲＦが、前記サービスチェーン情報に従って、前記サービスによって占有されるネットワークリソースが変更可能であると決定した場合に、前記ＰＣＲＦによって、前記サービス識別情報及び前記サービスが前記ＱｏＳ保証を必要とすることを示す前記情報を、付加価値サービスプロセッサに送信する段階と、
前記付加価値サービスプロセッサによって返信された、前記サービス識別情報に対応する前記サービスのターゲットサービス情報を、前記ＰＣＲＦによって受信する段階であって、前記ターゲットサービス情報は、前記付加価値サービスプロセッサによって前記サービスに付加価値処理を実行することによって取得されたターゲットサービスを示すパラメータである、段階と、
前記ＰＣＲＦによって、前記ターゲットサービス情報に従って、第１の制御ポリシを生成し、前記第１の制御ポリシをポリシ及び課金実行機能（ＰＣＥＦ）に送信し、これにより、前記ＰＣＥＦは、前記第１の制御ポリシに従って、第１のネットワークリソースを確保する、段階と、
を備えるサービス処理方法。
【請求項２】
前記サービスチェーン情報は、付加価値サービスタイプリストを含み、前記ＰＣＲＦが、前記サービスチェーン情報に従って、前記サービスによって占有されるネットワークリソースが変更可能であると決定することは、
前記ＰＣＲＦによって、前記付加価値サービスタイプリストが予め設定されたサービスタイプを含むか否かを決定し、前記付加価値サービスタイプリストが前記予め設定されたサービスタイプを含む場合に、前記サービスによって占有される前記ネットワークリソースが変更可能であると決定すること
を含む、請求項１に記載のサービス処理方法。
【請求項３】
前記サービスチェーン情報は、サービスチェーン識別情報を含み、前記ＰＣＲＦが、前記サービスチェーン情報に従って、前記サービスによって占有されるネットワークリソースが変更可能であると決定することは、
前記ＰＣＲＦによって、前記サービスチェーン識別情報が予め設定された識別情報であるか否かを決定し、前記サービスチェーン識別情報が前記予め設定された識別情報である場合に、前記サービスによって占有される前記ネットワークリソースが変更可能であると決定すること
を含む、請求項１に記載のサービス処理方法。
【請求項４】
前記ＰＣＲＦによって、ユーザ情報及び前記サービス情報に従って、前記サービスがＱｏＳ保証を必要とすることを示す情報を取得する前記段階は、
前記ＰＣＲＦが、前記ユーザ情報及び前記サービス情報に従って、前記サービスが前記ＱｏＳ保証を必要とすると決定した場合に、前記ＰＣＲＦによって、ＱｏＳ保証指示を生成する段階
を含み、
前記サービスが前記ＱｏＳ保証を必要とすることを示す前記情報は、前記ＱｏＳ保証指示である、
請求項１から３のいずれか１項に記載のサービス処理方法。
【請求項５】
前記サービス処理方法は、
前記ＰＣＲＦによって、前記ユーザ情報及び前記サービス情報に従って、制御パラメータを生成する段階
をさらに備え、
前記ＰＣＲＦによって、前記サービス識別情報及び前記サービスが前記ＱｏＳ保証を必要とすることを示す前記情報を、付加価値サービスプロセッサに送信する前記段階は、
前記ＰＣＲＦによって、前記サービス識別情報、前記サービスが前記ＱｏＳ保証を必要とすることを示す前記情報、及び前記制御パラメータを、前記付加価値サービスプロセッサに送信し、これにより、前記付加価値サービスプロセッサは、前記ターゲットサービス情報を取得すべく、前記制御パラメータに従って、前記サービス識別情報に対応する前記サービスを処理する、段階
を含む、
請求項１から４のいずれか１項に記載のサービス処理方法。
【請求項６】
前記サービス処理方法は、
前記ＰＣＲＦによって、前記付加価値サービスプロセッサにおいて障害が発生したという障害通知を受信する段階と、
前記ＰＣＲＦによって、前記障害通知及び前記サービス情報に従って、前記第１の制御ポリシを決定する段階と、
前記ＰＣＲＦによって、第２の制御ポリシを取得すべく、前記サービス情報に従って、前記第１の制御ポリシを修正する段階と、
前記ＰＣＲＦによって、前記第２の制御ポリシを前記ＰＣＥＦに送信し、これにより、前記ＰＣＥＦは、前記第２の制御ポリシに従って、前記第１のネットワークリソースを第２のネットワークリソースに変更する、段階と、
をさらに備える、
請求項１から５のいずれか１項に記載のサービス処理方法。
【請求項７】
前記ＰＣＲＦによって、前記障害通知及び前記サービス情報に従って、前記第１の制御ポリシを決定する前記段階は、
前記ＰＣＲＦによって、前記付加価値サービスプロセッサに対応し、前記障害通知に保持される付加価値サービスタイプに従って、前記付加価値サービスタイプに対応するサービスチェーン情報を決定する段階と、
前記ＰＣＲＦによって、前記サービスチェーン情報に従って、前記サービスチェーン情報に対応するターゲットサービス識別情報を決定する段階と、
前記ターゲットサービス識別情報が前記サービス情報に含まれる前記サービス識別情報と同じである場合に、前記ＰＣＲＦによって、前記ターゲットサービス識別情報に対応するポリシが前記第１の制御ポリシであると決定する段階と、
を含む、
請求項６に記載のサービス処理方法。
【請求項８】
ポリシ及び課金ルール機能（ＰＣＲＦ）によって、サービスのサービス情報を取得する段階であって、前記サービス情報は、前記サービスを示すパラメータであり、サービス識別情報を含む、段階と、
前記ＰＣＲＦが、ユーザ情報及び前記サービス情報に従って、前記サービスがサービス品質（ＱｏＳ）保証を必要とすると決定した場合に、前記ＰＣＲＦによって、サービスチェーン情報を生成する段階と、
前記ＰＣＲＦによって、前記サービスチェーン情報及び前記サービス識別情報をサービスチェーンシステムに送信する段階と、
前記ＰＣＲＦによって、前記サービスチェーンシステムによって返信された、前記サービス識別情報に対応する前記サービスのターゲットサービス情報を受信する段階であって、前記ターゲットサービス情報は、前記サービスに付加価値処理を実行することによって取得されたターゲットサービスを示すパラメータである、段階と、
前記ＰＣＲＦによって、前記ターゲットサービス情報に従って、第１の制御ポリシを生成する段階と、
前記ＰＣＲＦによって、前記第１の制御ポリシをポリシ及び課金実行機能（ＰＣＥＦ）に送信し、これにより、前記ＰＣＥＦは、前記第１の制御ポリシに従って、第１のネットワークリソースを確保する、段階と、
を備えるサービス処理方法。
【請求項９】
前記ＰＣＲＦによって、前記サービスチェーンシステムによって返信された、前記サービス識別情報に対応する前記サービスのターゲットサービス情報を受信する前記段階は、
前記ＰＣＲＦによって、前記サービスチェーンシステムにおけるＱｏＳ保証のための付加価値サービスプロセッサによって返信されたターゲットサービス情報を受信する段階であって、前記ターゲットサービス情報は、ＱｏＳ保証のための前記付加価値サービスプロセッサが前記サービス識別情報に対応する前記サービスを処理した後で取得される、段階
を含む、
請求項８に記載のサービス処理方法。
【請求項１０】
サービスのサービス情報を取得する取得モジュールであって、前記サービス情報は、前記サービスを示すパラメータであり、サービス識別情報を含む、取得モジュールと、
ユーザ情報及び前記サービス情報に従って、前記サービスがサービス品質（ＱｏＳ）保証を必要とすることを示す情報及びサービスチェーン情報を取得するサービスチェーン決定モジュールと、
前記サービスチェーン情報に従って、前記サービスによって占有されるネットワークリソースが変更可能であると決定された場合に、前記サービス識別情報及び前記サービスが前記ＱｏＳ保証を必要とすることを示す前記情報を、付加価値サービスプロセッサに送信する第１の送信モジュールと、
前記付加価値サービスプロセッサによって返信された、前記サービス識別情報に対応する前記サービスのターゲットサービス情報を受信する受信モジュールであって、前記ターゲットサービス情報は、前記付加価値サービスプロセッサによって前記サービスに付加価値処理を実行することによって取得されたターゲットサービスを示すパラメータである、受信モジュールと、
前記ターゲットサービス情報に従って、第１の制御ポリシを生成する制御決定モジュールと、
前記第１の制御ポリシをポリシ及び課金実行機能（ＰＣＥＦ）に送信し、これにより、前記ＰＣＥＦは、前記第１の制御ポリシに従って、第１のネットワークリソースを確保する、第２の送信モジュールと、
を備えるポリシ及び課金ルール機能（ＰＣＲＦ）。
【請求項１１】
前記ＰＣＲＦは、判断モジュールをさらに備え、
前記判断モジュールは、前記サービスチェーン情報に含まれる付加価値サービスタイプリストが予め設定されたサービスタイプを含むか否かを決定し、前記付加価値サービスタイプリストが前記予め設定されたサービスタイプを含む場合に、前記サービスによって占有される前記ネットワークリソースが変更可能であると決定する、又は、
前記判断モジュールは、前記サービスチェーン情報に含まれるサービスチェーン識別情報が予め設定された識別情報であるか否かを決定し、前記サービスチェーン識別情報が前記予め設定された識別情報である場合に、前記サービスによって占有される前記ネットワークリソースが変更可能であると決定する、
請求項１０に記載のＰＣＲＦ。
【請求項１２】
前記サービスチェーン決定モジュールは、前記ユーザ情報及び前記サービス情報に従って、前記サービスが前記ＱｏＳ保証を必要とすると決定された場合に、ＱｏＳ保証指示を生成し、前記サービスが前記ＱｏＳ保証を必要とすることを示す前記情報は、前記ＱｏＳ保証指示である、請求項１０又は１１に記載のＰＣＲＦ。
【請求項１３】
前記サービスチェーン決定モジュールは、さらに、前記ユーザ情報及び前記サービス情報に従って、制御パラメータを生成し、
前記第１の送信モジュールは、前記サービスチェーン情報に従って、前記サービスによって占有される前記ネットワークリソースが変更可能であると決定された場合に、前記サービス識別情報、前記サービスが前記ＱｏＳ保証を必要とすることを示す前記情報、及び前記制御パラメータを、前記付加価値サービスプロセッサに送信し、これにより、前記付加価値サービスプロセッサは、前記ターゲットサービス情報を取得すべく、前記制御パラメータに従って、前記サービス識別情報に対応する前記サービスを処理する、
請求項１０から１２のいずれか１項に記載のＰＣＲＦ。
【請求項１４】
前記受信モジュールは、さらに、前記付加価値サービスプロセッサにおいて障害が発生したという障害通知を受信し、前記ＰＣＲＦは、決定モジュール及び修正モジュールをさらに備え、
前記決定モジュールは、前記障害通知及び前記サービス情報に従って、前記第１の制御ポリシを決定し、
前記修正モジュールは、第２の制御ポリシを取得すべく、前記サービス情報に従って、前記第１の制御ポリシを修正し、
前記第２の送信モジュールは、さらに、前記第２の制御ポリシを前記ＰＣＥＦに送信し、これにより、前記ＰＣＥＦは、前記第２の制御ポリシに従って、前記第１のネットワークリソースを第２のネットワークリソースに変更する、
請求項１０から１３のいずれか１項に記載のＰＣＲＦ。
【請求項１５】
前記決定モジュールは、前記付加価値サービスプロセッサに対応し、前記障害通知に保持される付加価値サービスタイプに従って、前記付加価値サービスタイプに対応するサービスチェーン情報を決定し、前記サービスチェーン情報に従って、前記サービスチェーン情報に対応するターゲットサービス識別情報を決定し、前記ターゲットサービス識別情報が前記サービス情報に含まれる前記サービス識別情報と同じである場合に、前記ターゲットサービス識別情報に対応するポリシが前記第１の制御ポリシであると決定する、請求項１４に記載のＰＣＲＦ。
【請求項１６】
ポリシ及び課金ルール機能（ＰＣＲＦ）と、付加価値サービスプロセッサと、を備え、
前記ＰＣＲＦは、
サービスのサービス情報であって、前記サービスを示すパラメータであり、サービス識別情報を含むサービス情報を取得し、
ユーザ情報及び前記サービス情報に従って、前記サービスがサービス品質（ＱｏＳ）保証を必要とすることを示す情報及びサービスチェーン情報を取得し、
前記サービスチェーン情報に従って、前記サービスによって占有されるネットワークリソースが変更可能であると決定した場合に、前記サービス識別情報及び前記サービスが前記ＱｏＳ保証を必要とすることを示す前記情報を、前記付加価値サービスプロセッサに送信し、
前記付加価値サービスプロセッサによって返信された、前記サービス識別情報に対応する前記サービスのターゲットサービス情報であって、前記付加価値サービスプロセッサによって前記サービスに付加価値処理を実行することによって取得されたターゲットサービスを示すパラメータであるターゲットサービス情報を受信し、
前記ターゲットサービス情報に従って、第１の制御ポリシを生成し、前記第１の制御ポリシをポリシ及び課金実行機能（ＰＣＥＦ）に送信し、これにより、前記ＰＣＥＦは、前記第１の制御ポリシに従って、第１のネットワークリソースを確保し、
前記付加価値サービスプロセッサは、前記サービス識別情報及び前記サービスが前記ＱｏＳ保証を必要とすることを示す前記情報を受信し、前記サービス識別情報に対応する前記サービスの前記ターゲットサービス情報を前記ＰＣＲＦに返信し、前記サービス識別情報及び前記サービスが前記ＱｏＳ保証を必要とすることを示す前記情報は、前記ＰＣＲＦによって送信される、
サービス処理システム。
【請求項１７】
前記付加価値サービスプロセッサは、さらに、前記サービス識別情報に従って、前記サービスを決定し、前記ターゲットサービス情報を取得すべく、前記サービスを処理する、請求項１６に記載のサービス処理システム。
【請求項１８】
前記ＰＣＲＦは、さらに、前記ユーザ情報及び前記サービス情報に従って、制御パラメータを生成し、
前記ＰＣＲＦは、前記サービス識別情報、前記サービスが前記ＱｏＳ保証を必要とすることを示す前記情報、及び前記制御パラメータを、前記付加価値サービスプロセッサに送信し、
前記付加価値サービスプロセッサは、さらに、前記制御パラメータを受信し、前記サービス識別情報に従って、前記サービスを決定し、前記ターゲットサービス情報を取得すべく、前記制御パラメータに従って、前記サービス識別情報に対応する前記サービスを処理する、
請求項１６に記載のサービス処理システム。
【請求項１９】
前記付加価値サービスプロセッサは、前記制御パラメータに従って、サービス最適化パラメータを選択し、前記ターゲットサービス情報を取得すべく、前記サービス最適化パラメータに従って、前記サービスを処理する、請求項１８に記載のサービス処理システム。
【請求項２０】
前記付加価値サービスプロセッサは、前記サービスが前記ＱｏＳ保証を必要とすることを示す前記情報に従って、前記サービス識別情報に対応する前記サービスの前記ターゲットサービス情報を前記ＰＣＲＦに返信する、請求項１６から１９のいずれか１項に記載のサービス処理システム。
【請求項２１】
請求項１から７のいずれか１項に記載の方法をコンピュータに実行させるプログラム。
【発明の詳細な説明】
【技術分野】
【０００１】
本発明は、通信分野に関し、詳細には、サービス処理方法、ＰＣＲＦ、及びサービス処理システムに関する。
【背景技術】
【０００２】
ネットワークサービスプロバイダが通信ネットワークにおいてユーザにサービスを提供する場合、サービス品質は、サービス品質に対するユーザの要求を満たすことが考慮されることを必要とする。この要求に関して、第３世代パートナーシッププロジェクト（３ＧＰＰ、３ｒｄ  Ｇｅｎｅｒａｔｉｏｎ  Ｐａｒｔｎｅｒｓｈｉｐ  Ｐｒｏｊｅｃｔ）標準は、ポリシ及び課金制御（ＰＣＣ、Ｐｏｌｉｃｙ  ａｎｄ  Ｃｈａｒｇｉｎｇ  Ｃｏｎｔｒｏｌ）アーキテクチャを定義する。そのアーキテクチャにおいて、サービスは、検出可能であり、サービス品質（ＱｏＳ、Ｑｕａｌｉｔｙ  ｏｆ  Ｓｅｒｖｉｃｅ）制御及び課金制御は、異なるサービスにおいて実行可能である。さらに、ネットワークサービスプロバイダは、Ｇｉローカルエリアネットワーク（Ｇｉ−ＬＡＮ、Ｇｉ  Ｌｏｃａｌ  Ａｒｅａ  Ｎｅｔｗｏｒｋ）のユーザに対して、ファイアウォール、ネットワークアドレス変換（ＮＡＴ、Ｎｅｔｗｏｒｋ  Ａｄｄｒｅｓｓ  ｔｒａｎｓｌａｔｉｏｎ）、又はビデオ最適化のような付加価値サービスを提供する。
【０００３】
３ＧＰＰにおいて定義されるＰＣＣメカニズムにおける現在のネットワークリソース確保手続きは、基本的に以下の通りである。ユーザ機器（ＵＥ、Ｕｓｅｒ  Ｅｑｕｉｐｍｅｎｔ）がアプリケーション機能（ＡＦ、Ａｐｐｌｉｃａｔｉｏｎ  Ｆｕｎｃｔｉｏｎ）によって提供されるサービスにアクセスする場合、ＡＦは、Ｒｘセッション要求をポリシ及び課金ルール機能（ＰＣＲＦ、Ｐｏｌｉｃｙ  ａｎｄ  ｃｈａｒｇｉｎｇ  Ｒｕｌｅｓ  Ｆｕｎｃｔｉｏｎ）に送信する。ここで、要求は、サービス情報を保持する。ＰＣＲＦは、サービス情報を格納し、サービス情報に従って、制御ポリシを生成し、制御ポリシをポリシ及び課金実行機能（ＰＣＥＦ、Ｐｏｌｉｃｙ  ａｎｄ  Ｃｈａｒｇｉｎｇ  Ｅｎｆｏｒｃｅｍｅｎｔ  Ｆｕｎｃｔｉｏｎ）に伝送する。ＰＣＥＦは、ネットワークリソース確保手続きを実行する。
【０００４】
しかしながら、付加価値サービスプロセッサが、ネットワークサービスプロバイダによって提供される（ビデオ最適化サービスのような）いくつかの付加価値ビジネスサービスを処理した後で、処理されたサービスによって占有されるネットワークリソースが変化する。既存のネットワークリソース確保手続きにおいて、ＰＣＲＦは、Ｒｘインタフェースを用いることによって、ＡＦによって供給されるサービス情報に従って、制御ポリシをさらに規定し、制御ポリシをＰＣＥＦに送信する。ＰＣＥＦは、制御ポリシに従って、ネットワークリソースを確保する。この場合、ユーザによって取得されたネットワークリソースは、付加価値処理の前にサービスによって占有されたネットワークリソースであるが、付加価値処理の後にサービスによって必要とされるネットワークリソースではない。確保されたネットワークリソースは、実際のユーザの要求と無関係であり、これは、ユーザのサービスエクスペリエンスに影響する。
【発明の概要】
【０００５】
本発明の実施形態は、サービス処理方法、ＰＣＲＦ、及びサービス処理システムを提供し、ユーザの実際の要求に従って、ユーザのサービスエクスペリエンスを向上させる。
【０００６】
本発明の実施形態の第１の態様は、サービス処理方法を提供する。方法は、
ＰＣＲＦによって、サービスのサービス情報を取得する段階であって、サービス情報は、サービス識別情報を含む、段階と、
ＰＣＲＦによって、ユーザ情報及びサービス情報に従って、サービスがサービス品質ＱｏＳ保証を必要とすることを示す情報及びサービスチェーン情報を取得する段階と、
ＰＣＲＦが、サービスチェーン情報に従って、サービスによって占有されるネットワークリソースが変更可能であると決定した場合に、ＰＣＲＦによって、サービス識別情報及びサービスがＱｏＳ保証を必要とすることを示す情報を、付加価値サービスプロセッサに送信する段階と、
付加価値サービスプロセッサによって返信された、サービス識別情報に対応するサービスのターゲットサービス情報を、ＰＣＲＦによって受信する段階と、
ターゲットサービス情報に従って、第１の制御ポリシを生成し、ＰＣＲＦによって、第１の制御ポリシをＰＣＥＦに送信し、これにより、ＰＣＥＦは、第１の制御ポリシに従って、第１のネットワークリソースを確保する、段階と、を含む。
【０００７】
第１の態様に関連して、第１の態様の第１の可能な実装方式において、サービスチェーン情報は、付加価値サービスタイプリストを含み、ＰＣＲＦが、サービスチェーン情報に従って、サービスによって占有されるネットワークリソースが変更可能であると決定することは、具体的には、
ＰＣＲＦによって、付加価値サービスタイプリストが予め設定されたサービスタイプを含むか否かを決定し、付加価値サービスタイプリストが予め設定されたサービスタイプを含む場合に、サービスによって占有されるネットワークリソースが変更可能であると決定すること
を含む。
【０００８】
第１の態様に関連して、第１の態様の第２の可能な実装方式において、サービスチェーン情報は、サービスチェーン識別情報を含み、ＰＣＲＦが、サービスチェーン情報に従って、サービスによって占有されるネットワークリソースが変更可能であると決定することは、具体的には、
ＰＣＲＦによって、サービスチェーン識別情報が予め設定された識別情報であるか否かを決定し、サービスチェーン識別情報が予め設定された識別情報である場合に、サービスによって占有されるネットワークリソースが変更可能であると決定すること
を含む。
【０００９】
第１の態様、又は第１の態様の第１の可能な実装方式、又は第１の態様の第２の可能な実装方式に関連して、第１の態様の第３の可能な実装方式において、ＰＣＲＦによって、ユーザ情報及びサービス情報に従って、サービスがＱｏＳ保証を必要とすることを示す情報を取得する段階は、具体的には、
ＰＣＲＦが、ユーザ情報及びサービス情報に従って、サービスがＱｏＳ保証を必要とすると決定した場合に、ＰＣＲＦによって、ＱｏＳ保証指示を生成する段階
を含み、
サービスがＱｏＳ保証を必要とすることを示す情報は、ＱｏＳ保証指示である。
【００１０】
第１の態様、又は第１の態様の第１の可能な実装方式、又は第１の態様の第２の可能な実装方式、又は第１の態様の第３の可能な実装方式に関連して、第１の態様の第４の可能な実装方式において、サービス処理方法は、
ＰＣＲＦによって、ユーザ情報及びサービス情報に従って、制御パラメータを生成する段階
をさらに含み、
ＰＣＲＦによって、サービス識別情報及びサービスがＱｏＳ保証を必要とすることを示す情報を、付加価値サービスプロセッサに送信する段階は、
ＰＣＲＦによって、サービス識別情報、サービスがＱｏＳ保証を必要とすることを示す情報、及び制御パラメータを、付加価値サービスプロセッサに送信し、これにより、付加価値サービスプロセッサは、ターゲットサービス情報を取得すべく、制御パラメータに従って、サービス識別情報に対応するサービスを処理する、段階
を含む。
【００１１】
第１の態様、又は第１の態様の第１の可能な実装方式、又は第１の態様の第２の可能な実装方式、又は第１の態様の第３の可能な実装方式、又は第１の態様の第４の可能な実装方式に関連して、第１の態様の第５の可能な実装方式において、サービス処理方法は、
ＰＣＲＦによって、付加価値サービスプロセッサにおいて障害が発生したという障害通知を受信する段階と、
ＰＣＲＦによって、障害通知及びサービス情報に従って、第１の制御ポリシを決定する段階と、
ＰＣＲＦによって、第２の制御ポリシを取得すべく、サービス情報に従って、第１の制御ポリシを修正する段階と、
ＰＣＲＦによって、第２の制御ポリシをＰＣＥＦに送信し、これにより、ＰＣＥＦは、第２の制御ポリシに従って、第１のネットワークリソースを第２のネットワークリソースに変更する、段階と、
をさらに含む。
【００１２】
第１の態様の第５の可能な実装方式に関連して、第１の態様の第６の可能な実装において、ＰＣＲＦによって、障害通知及びサービス情報に従って、第１の制御ポリシを決定する段階は、
ＰＣＲＦによって、付加価値サービスプロセッサに対応し、障害通知に保持される付加価値サービスタイプに従って、付加価値サービスタイプに対応するサービスチェーン情報を決定する段階と、
ＰＣＲＦによって、サービスチェーン情報に従って、サービスチェーン情報に対応するターゲットサービス識別情報を決定する段階と、
ターゲットサービス識別情報がサービス情報に含まれるサービス識別情報と同じである場合に、ＰＣＲＦによって、ターゲットサービス識別情報に対応するポリシが第１の制御ポリシであると決定する段階と、
を含む。
【００１３】
本発明の実施形態の第２の態様は、サービス処理方法を提供する。サービス処理方法は、
ＰＣＲＦによって、サービスのサービス情報を取得する段階であって、サービス情報は、サービス識別情報を含む、段階と、
ＰＣＲＦが、ユーザ情報及びサービス情報に従って、サービスがサービス品質ＱｏＳ保証を必要とすると決定した場合に、ＰＣＲＦによって、サービスチェーン情報を生成する段階と、
ＰＣＲＦによって、サービスチェーン情報及びサービス識別情報をサービスチェーンシステムに送信する段階と、
ＰＣＲＦによって、サービスチェーンシステムによって返信された、サービス識別情報に対応するサービスのターゲットサービス情報を受信する段階と、
ＰＣＲＦによって、ターゲットサービス情報に従って、第１の制御ポリシを生成する段階と、
ＰＣＲＦによって、第１の制御ポリシをＰＣＥＦに送信し、これにより、ＰＣＥＦは、第１の制御ポリシに従って、第１のネットワークリソースを確保する、段階と、
を含む。
【００１４】
第２の態様に関連して、第２の態様の第１の可能な実装方式において、ＰＣＲＦによって、サービスチェーンシステムによって返信された、サービス識別情報に対応するサービスのターゲットサービス情報を受信する段階は、
ＰＣＲＦによって、サービスチェーンシステムにおけるＱｏＳ保証のための付加価値サービスプロセッサによって返信されたターゲットサービス情報を受信する段階であって、ターゲットサービス情報は、ＱｏＳ保証のための付加価値サービスプロセッサがサービス識別情報に対応するサービスを処理した後で取得される、段階
を含む。
【００１５】
本発明の実施形態の第３の態様は、ＰＣＲＦを提供する。ＰＣＲＦは、
サービスのサービス情報を取得するように構成される取得モジュールであって、サービス情報は、サービス識別情報を含む、取得モジュールと、
ユーザ情報及びサービス情報に従って、サービスがサービス品質ＱｏＳ保証を必要とすることを示す情報及びサービスチェーン情報を取得するように構成されるサービスチェーン決定モジュールと、
サービスチェーン情報に従って、サービスによって占有されるネットワークリソースが変更可能であると決定された場合に、サービス識別情報及びサービスがＱｏＳ保証を必要とすることを示す情報を、付加価値サービスプロセッサに送信するように構成される第１の送信モジュールと、
付加価値サービスプロセッサによって返信された、サービス識別情報に対応するサービスのターゲットサービス情報を受信するように構成される受信モジュールと、
ターゲットサービス情報に従って、第１の制御ポリシを生成するように構成される制御決定モジュールと、
第１の制御ポリシをＰＣＥＦに送信するように構成され、これにより、ＰＣＥＦは、第１の制御ポリシに従って、第１のネットワークリソースを確保する、第２の送信モジュールと、
を含む。
【００１６】
第３の態様に関連して、第３の態様の第１の可能な実装方式において、サービスチェーン決定モジュールは、ユーザ情報及びサービス情報に従って、制御パラメータを生成するようにさらに構成され、
第１の送信モジュールは、具体的には、サービスチェーン情報に従って、サービスによって占有されるネットワークリソースが変更可能であると決定された場合に、サービス識別情報、サービスがＱｏＳ保証を必要とすることを示す情報、及び制御パラメータを、付加価値サービスプロセッサに送信するように構成され、これにより、付加価値サービスプロセッサは、ターゲットサービス情報を取得すべく、制御パラメータに従って、サービス識別情報に対応するサービスを処理する。
【００１７】
第３の態様、又は第３の態様の第１の可能な実装方式に関連して、第３の態様の第２の可能な実装方式において、受信モジュールは、付加価値サービスプロセッサにおいて障害が発生したという障害通知を受信するようにさらに構成され、ＰＣＲＦは、決定モジュール及び修正モジュールをさらに含み、
決定モジュールは、障害通知及びサービス情報に従って、第１の制御ポリシを決定するように構成され、
修正モジュールは、第２の制御ポリシを取得すべく、サービス情報に従って、第１の制御ポリシを修正するように構成され、
第２の送信モジュールは、第２の制御ポリシをＰＣＥＦに送信するようにさらに構成され、これにより、ＰＣＥＦは、第２の制御ポリシに従って、第１のネットワークリソースを第２のネットワークリソースに変更する。
【００１８】
前述の技術的解決手段から、本発明の実施形態が以下の利点を有することが認識されよう。
【００１９】
本発明の実施形態において、ＰＣＲＦは、サービスがＱｏＳ保証を必要とすることを示す情報、及びサービスチェーン情報を取得すべく、サービス情報を取得し、ユーザ情報及びサービス情報に従って、サービスチェーン決定をなし、サービスチェーン情報に従って、サービスによって占有されるネットワークリソースが変更可能であると決定した場合に、ＰＣＲＦは、サービス識別情報、及びサービスがＱｏＳ保証を必要とすることを示す情報を、付加価値サービスプロセッサに送信し、ＰＣＲＦは、付加価値サービスプロセッサによって返信された、サービス識別情報に対応するサービスのターゲットサービス情報を受信し、ＰＣＲＦは、ターゲットサービス情報に従って、第１の制御ポリシを生成し、第１の制御ポリシをＰＣＥＦに送信し、これにより、ＰＣＥＦは、第１の制御ポリシに従って、ネットワークリソースを確保する。この場合、ユーザによって用いられるネットワークリソースは、付加価値処理の後で保証されたサービスに対応するネットワークリソースであり、これにより、ユーザの実際の要求を満たし、ユーザのサービスエクスペリエンスを向上させる。
【図面の簡単な説明】
【００２０】
【図１】本発明の実施形態に係るＰＣＣアーキテクチャの模式図である。
【００２１】
【図２】本発明の実施形態に係るサービス処理方法の模式的フローチャートである。
【００２２】
【図３】本発明の実施形態に係るサービス処理方法の他の模式的フローチャートである。
【００２３】
【図４】本発明の実施形態に係るＰＣＲＦの模式的構造図である。
【００２４】
【図５】本発明の実施形態に係るＰＣＲＦの他の模式的構造図である。
【００２５】
【図６】本発明の実施形態に係るＰＣＲＦの他の模式的構造図である。
【００２６】
【図７】本発明の実施形態に係るサービス処理システムの模式的構造図である。
【００２７】
【図８】本発明の実施形態に係るＰＣＲＦの他の模式的構造図である。
【００２８】
【図９】本発明の実施形態に係るサービス処理システムの他の模式的構造図である。
【００２９】
【図１０】本発明の実施形態に係るサービス処理システムの他の模式的構造図である。
【００３０】
【図１１】本発明の実施形態に係るＰＣＲＦの他の模式的構造図である。
【発明を実施するための形態】
【００３１】
以下、本発明の実施形態における添付図面を参照して、本発明の実施形態における技術的解決手段を、明確かつ完全に説明する。説明される実施形態は、本発明の実施形態のいくつかに過ぎず、全てではないことは明らかである。当業者によって、本発明の実施形態に基づいて、創造的努力なく取得された全ての他の実施形態は、本発明の保護範囲に属するものとする。
【００３２】
図１は、本発明の実施形態に係るＰＣＣアーキテクチャの模式図である。ＰＣＣアーキテクチャは、以下を含む。
【００３３】
ＰＣＲＦ：この機能エンティティは、ユーザによるネットワークへのアクセス制限、ネットワークサービスプロバイダポリシ、ＳＰＲから取得されたユーザ加入契約データ、又は、ＡＦから取得された、ユーザによって実行されているサービスについての情報に従って、対応するポリシを決定し、ポリシをＰＣＥＦに提供する。ＰＣＥＦは、ポリシを実行する。ポリシは、サービスデータフロー検出ルール、データフローにおいてゲート機能を実行するか否か、サービスデータフローに対応するＱｏＳ、データフローに基づく課金ルール等を含んでよい。
【００３４】
ＰＣＥＦ：この機能エンティティは、主に、サービスデータフロー検出、ポリシ実行、又は、フローベースの課金のような機能を含み、サービスデータフローのＱｏＳ、セッション管理等を保証する。
【００３５】
ＡＦ：この機能エンティティは、アプリケーション層のセッション情報をＰＣＲＦに動的に提供する。ＰＣＲＦは、セッション情報に従って、ルールを動的に生成又は修正する。
【００３６】
任意に、本発明の本実施形態におけるＰＣＣアーキテクチャは、加入契約プロファイルレポジトリ（ＳＰＲ、Ｓｕｂｓｃｒｉｐｔｉｏｎ  Ｐｒｏｆｉｌｅ  Ｒｅｐｏｓｉｔｏｒｙ）をさらに提供する。この機能エンティティは、全ての加入者についての情報又は加入契約関連の情報を、ＰＣＲＦに提供する。ＳＰＲによって提供される加入契約情報は、加入者が許可されたサービス、許可された各サービスの優先度、加入者が許可されたＱｏＳ情報、加入者サービスのアクセスタイプ、位置情報、及び利用量のような課金関連情報、又は加入者のタイプを含む。
【００３７】
任意に、本発明の本実施形態におけるＰＣＣアーキテクチャは、トラフィック検出機能（ＴＤＦ、Ｔｒａｆｆｉｃ  Ｄｅｔｅｃｔｉｏｎ  Ｆｕｎｃｔｉｏｎ）をさらに提供する。この機能エンティティは、アプリケーションを検出し、検出されたアプリケーション及び検出されたアプリケーションのサービストラフィックをＰＣＲＦに報告し、ＰＣＲＦは、決定をなす。ＴＤＦは、ゲート機能、リダイレクト、及び帯域幅制限のような機能をさらに実行する。
【００３８】
他の機能エンティティは本発明と無関係であるので、本明細書において詳細は説明されない。
【００３９】
以下、ＰＣＣアーキテクチャにおけるインタフェースを説明する。
【００４０】
Ｒｘインタフェース：このインタフェースは、例えば、サービスデータフローを識別し、異なるサービスデータフローにおいてポリシ制御及び課金を実行するために、アプリケーションレベルのセッション情報をＡＦとＰＣＲＦとの間で交換するために用いられる、又は、ＱｏＳ媒体／アプリケーション帯域幅要求のために用いられる。
【００４１】
Ｇｘインタフェース：このインタフェースは、ＰＣＥＦによって実行されるＰＣＣルールを動的に制御するために、ＰＣＲＦによって用いられる、又は、ＰＣＣルール例外処理のために用いられる。
【００４２】
任意に、本発明の本実施形態におけるＰＣＣアーキテクチャは、Ｓｐインタフェースをさらに提供し、このインタフェースは、ＰＣＲＦによって、ＳＰＲからユーザ加入契約データを要求するために用いられる。
【００４３】
任意に、本発明の本実施形態におけるＰＣＣアーキテクチャは、Ｓｄインタフェースをさらに提供し、このインタフェースは、ＴＤＦによって、アプリケーション開始／停止情報、データフロー記述、及びアプリケーション識別子をＰＣＲＦに報告し、各ＴＤＦセッションの累積ネットワークリソース利用を報告し、ＰＣＲＦからアプリケーションデータセンタ（ＡＤＣ、Ａｐｐｌｉｃａｔｉｏｎ  Ｄａｔａ  Ｃｅｎｔｅｒ）決定をアプリケーションデータセンタに要求する等のために用いられる。
【００４４】
他のインタフェースは本発明と無関係であるので、本明細書において詳細は説明されない。
【００４５】
ＰＣＲＦは、Ｒｘインタフェースを用いることによって、ＡＦに接続され、Ｇｘインタフェースを用いることによって、ＰＣＥＦに接続され、Ｓｐインタフェースを用いることによって、ＳＰＲに接続され、Ｓｄインタフェースを用いることによって、ＴＤＦに接続される。ＰＣＥＦは、Ｇｘインタフェースを用いることによって、ＰＣＲＦに接続される。
【００４６】
本発明の本実施形態において、ＡＦは、サードパーティサービスプロバイダ（ＳＰ、Ｓｅｒｖｉｃｅ  Ｐｒｏｖｉｄｅｒ）、付加価値サービスプロセッサ等を含む実行機能を有するいくつかのネットワーク要素の集合的名称である。
【００４７】
付加価値サービスプロセッサは、サービスにおいて付加価値処理を実行するＡＦであり、サービスのサービス情報を変更してよい。付加価値サービスプロセッサは、ビデオオプティマイザ、音声オプティマイザ、ファイアウォール、ＮＡＴ等であってよく、又は、ネットワークサービスプロバイダによって提供され、付加価値サービスのために用いられる他のＡＦであってよい。これは、本明細書に限定されるものではない。
【００４８】
図２を参照すると、本発明の実施形態におけるサービス処理方法の実施形態は、以下の段階を含む。
【００４９】
２０１．ＰＣＲＦは、サービスのサービス情報を取得する。
【００５０】
ＰＣＲＦは、サービスのサービス情報を取得してよい。サービス情報は、ＡＦ、ＰＣＥＦ、又はＴＤＦから取得されてよい。
【００５１】
サービス情報は、サービスを示すことができるパラメータであり、ＰＣＲＦによって、サービスにおいて決定をなすために用いられる。サービス情報は、サービス識別情報、サービスタイプ、サービスフォーマット、サービス優先度、帯域幅、ビットレート等を含んでよく、又は、サービスの他の情報を含んでよい。これは、本明細書に限定されるものではない。
【００５２】
２０２．ＰＣＲＦは、ユーザ情報及びサービス情報に従って、サービスがＱｏＳ保証を必要とすることを示す情報、及びサービスチェーン情報を取得する。
【００５３】
ＰＣＲＦは、ユーザ関連情報を、ＰＣＣアーキテクチャにおける他の機能エンティティから取得してよい。ユーザ情報は、ＳＰＲからのユーザ加入契約情報、ユーザが位置付けられるネットワークにおける、無線アクセスネットワーク輻輳認識機能（ＲＣＡＦ）からのネットワーク輻輳情報、ＰＣＥＦからのユーザ位置情報、又はＰＣＥＦからのアクセスネットワークタイプであってよく、又は、サービスにアクセスするユーザの他の情報であってよい。これは、本明細書に限定されるものではない。
【００５４】
ユーザがＱｏＳ保証されたユーザであり、ユーザによってアクセスされたサービスがネットワークサービスプロバイダの保証されたサービスに属する場合、ＰＣＲＦは、サービスに対するＱｏＳ保証情報を生成し、サービスチェーン情報を生成する。サービスチェーン情報は、サービスチェーンシステムにおけるサービスチェーンを示すことができる情報であり、サービスチェーン情報は、サービスチェーンに対応し、サービスチェーンは、少なくとも１つの付加価値サービスプロセッサを含む。サービスチェーン情報は、付加価値サービスタイプリスト及び／又はサービスチェーン識別情報を含み、付加価値サービスタイプリストは、少なくとも１つの付加価値サービスタイプを含み、付加価値サービスプロセッサは、サービスにおいて付加価値処理を実行してよい。
【００５５】
ユーザが保証されていないユーザである場合、又は、ユーザによってアクセスされたサービスがネットワークサービスプロバイダの保証されたサービスに属さない場合、ＰＣＲＦは、保証されていないサービス手続きを実行する。この手続きは、従来技術に属し、本明細書において詳細は説明されない。
【００５６】
２０３．ＰＣＲＦが、サービスチェーン情報に従って、サービスによって占有されるネットワークリソースが変更可能であると決定した場合に、ＰＣＲＦは、サービス識別情報、及び、サービスがＱｏＳ保証を必要とすることを示す情報を、付加価値サービスプロセッサに送信する。
【００５７】
ＰＣＲＦが、サービスチェーン情報に従って、サービスによって占有されるネットワークリソースが変更可能であると決定した場合に、これは、サービスチェーンが、ネットワークリソースを変更可能な付加価値サービスプロセッサを含むことを示す。サービスが付加価値サービスプロセッサによって処理された後で、サービスのサービス情報は変更可能であり、サービスによって占有されるネットワークリソースは、サービスに対して調整される必要がある。
【００５８】
ＰＣＲＦが、サービス識別情報及びサービスがＱｏＳ保証を必要とすることを示す情報を付加価値サービスプロセッサに送信する処理は、従来技術に属するので、本明細書において詳細は説明されない。
【００５９】
サービス識別情報を受信した後で、付加価値サービスプロセッサは、サービスにおいて付加価値処理を実行してターゲットサービスを取得し、ターゲットサービス情報を取得すべく、サービス識別情報に従って、サービスを決定し、サービスがＱｏＳ保証を必要とすることを示す情報に従って、ターゲットサービス情報を返信してよい。
【００６０】
２０４．ＰＣＲＦは、付加価値サービスプロセッサによって返信された、サービス識別情報に対応するサービスのターゲットサービス情報を受信する。
【００６１】
付加価値サービスプロセッサは、サービスによって占有されるネットワークリソースを変更してよく、付加価値サービスプロセッサは、ターゲットサービス情報をＰＣＲＦに直接送信してよく、又は、他のネットワーク要素を用いることによって、ターゲットサービス情報をＰＣＲＦに送信してよいことに留意されたい。これは、本明細書に限定されるものではない。
【００６２】
２０５．ＰＣＲＦは、ターゲットサービス情報に従って、第１の制御ポリシを生成する。
【００６３】
ターゲットサービス情報は、ターゲットサービス情報を受信した後に、ターゲットサービスによって占有されるネットワークリソースについての情報を含むので、ＰＣＲＦは、ターゲットサービスによって占有されるネットワークリソースを確保すべく、ターゲットサービス情報に従って、第１の制御ポリシを生成してよい。
【００６４】
サービスが付加価値サービスプロセッサによって処理された後で、取得されたターゲットサービス情報に含まれるＱｏＳパラメータは、処理前のサービス情報に含まれるＱｏＳパラメータと異なることに留意されたい。ＰＣＲＦは、ターゲットサービス情報におけるＱｏＳパラメータに従って、第１の制御ポリシを生成してよい。ＱｏＳパラメータは、処理されたサービスによって占有されるネットワークリソースを制御するために用いられる。
【００６５】
第１の制御ポリシは、サービスによって占有されるネットワークリソースを制御するためのＰＣＣルールであり、ルール名、サービスフロー識別情報、ＱｏＳパラメータ等を含んでよく、サービスの他の情報をさらに含んでよい。これは、本明細書に限定されるものではない。
【００６６】
ＱｏＳパラメータは、サービスを制御するために用いられ、以下のパラメータを含んでよい。
ＱｏＳクラス識別子（ＱＣＩ、Ｑｏｓ  Ｃｌａｓｓ  Ｉｄｅｎｔｉｆｉｅｒ）：ネットワークノードは、ＱＣＩに従って、データパケットを処理してよく、異なるＱＣＩは、異なるパケット損失率、異なる遅延、又は異なるジッターに対応する。
割り当て／保持優先度（ＡＲＰ、Ａｌｌｏｃａｔｉｏｎ／Ｒｅｔｅｎｔｉｏｎ  ｐｒｉｏｒｉｔｙ）：ネットワークリソースが不十分な場合、サービスフローが他のサービスフローのリソースを先に取得できるか、又は、サービスフローのリソースが他のサービスフローによって先に取得され得るかを示すために用いられる。
保証ビットレート（ＧＢＲ、Ｇｕｒａｎｔｅｅｄ  Ｂｉｔ  Ｒａｔｅ）：ネットワークリソースが緊縮している場合に、サービスに適用可能な最小帯域幅を指す。又は、
最大ビットレート（ＭＢＲ、Ｍａｘｉｍｕｍ  Ｂｉｔ  Ｒａｔｅ）：サービスフローの最大帯域幅、すなわち、サービスフローによって占有されるネットワーク帯域幅が帯域幅より小さい必要があることを指す。
【００６７】
２０６．ＰＣＲＦは、第１の制御ポリシをＰＣＥＦに送信し、これにより、ＰＣＥＦは、第１の制御ポリシに従って、第１のネットワークリソースを確保する。
【００６８】
第１の制御ポリシを生成した後で、ＰＣＲＦは、第１の制御ポリシをＰＣＥＦに送信し、ＰＣＥＦは、第１の制御ポリシに従って、第１のネットワークリソースを確保してよい。第１のネットワークリソースは、ターゲットサービスによって占有されるネットワークリソースである。
【００６９】
ＰＣＥＦが、第１の制御ポリシに従って、ターゲットサービスによって占有されるネットワークリソースを確保する具体的な処理は、従来技術に属し、本明細書において詳細は説明されない。
【００７０】
本発明の本実施形態において、ＰＣＲＦは、サービス情報を取得し、サービスがＱｏＳ保証を必要とすることを示す情報、及びサービスチェーン情報を取得すべく、ユーザ情報及びサービス情報に従って、サービスチェーン決定をなし、サービスチェーン情報に従って、サービスによって占有されるネットワークリソースが変更可能であると決定した場合に、ＰＣＲＦは、サービス識別情報、及びサービスがＱｏＳ保証を必要とすることを示す情報を、付加価値サービスプロセッサに送信し、ＰＣＲＦは、付加価値サービスプロセッサによって返信された、サービス識別情報に対応するサービスのターゲットサービス情報を受信し、ＰＣＲＦは、ターゲットサービス情報に従って、第１の制御ポリシを生成し、第１の制御ポリシをＰＣＥＦに送信し、これにより、ＰＣＥＦは、第１の制御ポリシに従って、ネットワークリソースを確保する。この場合、ユーザによって用いられるネットワークリソースは、付加価値処理の後で保証されたサービスに対応するネットワークリソースであり、これにより、ユーザの実際の要求を満たし、ユーザのサービスエクスペリエンスを向上させる。
【００７１】
任意に、図２に示される実施形態に基づいて、本発明の本実施形態におけるサービス処理方法の他の実施形態において、サービスチェーン情報は、付加価値サービスタイプリストを含み、ＰＣＲＦが、サービスチェーン情報に従って、サービスによって占有されるネットワークリソースが変更可能であると決定することは、具体的には、
ＰＣＲＦによって、付加価値サービスタイプリストが予め設定されたサービスタイプを含むか否かを決定し、付加価値サービスタイプリストが予め設定されたサービスタイプを含む場合に、サービスによって占有されるネットワークリソースが変更可能であると決定すること
を含む。
【００７２】
本実施形態において、ネットワークサービスプロバイダによってユーザに提供される付加価値サービスは、コンテンツフィルタリング、ＮＡＴ、ファイアウォール、音声最適化、ビデオ最適化等であってよい。ネットワークサービスプロバイダは、サービス情報を予め設定されたサービスタイプとして変更可能な付加価値サービスを設定してよい。サービスチェーン情報に含まれる付加価値サービスタイプリストは、１つ又は複数の付加価値サービスタイプを含んでよく、これは、本明細書に限定されるものではない。
【００７３】
付加価値サービスタイプリストが予め設定されたサービスタイプ、例えば、「ビデオ最適化」を含む場合、これは、サービスを処理するサービスチェーンがビデオオプティマイザを含み、ビデオオプティマイザはビデオストリームによって占有されるネットワークリソースを変更してよいので、これは、サービスによって占有されるネットワークリソースが変更可能であると決定してよく、対応するネットワークリソースは、最適化されたビデオストリームのために確保される必要があることを示す。付加価値サービスタイプリストに含まれる付加価値サービスタイプが予め設定されたサービスタイプではない場合、例えば、付加価値サービスタイプが「ＮＡＴ」である場合、これは、サービスを処理するサービスチェーンがネットワークアドレス変換プロセッサを含み、ネットワークアドレス変換プロセッサのサービス処理がサービスによって占有されるネットワークリソースを変更せず、従って、サービスによって占有されるネットワークリソースが変更されなくてよいと決定されてよいことを示す。
【００７４】
任意に、図２に示される実施形態に基づいて、本発明の本実施形態におけるサービス処理方法の他の実施形態において、サービスチェーン情報は、サービスチェーン識別情報を含み、ＰＣＲＦが、サービスチェーン情報に従って、サービスによって占有されるネットワークリソースが変更可能であると決定することは、
ＰＣＲＦによって、サービスチェーン識別情報が予め設定された識別情報であるか否かを決定し、サービスチェーン識別情報が予め設定された識別情報である場合に、サービスによって占有されるネットワークリソースが変更可能であると決定する
態様で、実装されてよい。
【００７５】
本実施形態において、サービスチェーン識別情報は、サービスチェーンと１対１の対応関係にあり、ネットワークサービスプロバイダは、付加価値サービス処理に用いられるサービスチェーンのサービスチェーン識別情報を、予め設定された識別情報として設定してよい。サービスチェーン識別情報は１であり、サービスチェーン「ファイアウォール−音声最適化−ＮＡＴ」に対応すると仮定すると、サービスチェーンは、サービスによって占有されるネットワークリソースを変更してよく、サービスチェーン識別情報は、予め設定された識別情報に属する。サービスチェーン識別情報は２であり、サービスチェーン「ファイアウォール−ＮＡＴ」に対応すると仮定すると、サービスチェーンは、サービスによって占有されるネットワークリソースを変更できず、サービスチェーン識別情報は、予め設定された識別情報に属さない。
【００７６】
任意に、図２に示される実施形態又は任意の実施形態に基づいて、本発明の本実施形態におけるサービス処理方法の他の実施形態において、ＰＣＲＦが、ユーザ情報及びサービス情報に従って、サービスがＱｏＳ保証を必要とすることを示す情報を取得することは、
ユーザ情報及びサービス情報に従って、サービスがＱｏＳ保証を必要とすると決定した場合に、ＰＣＲＦは、ＱｏＳ保証指示を生成し、ここで、サービスがＱｏＳ保証を必要とすることを示す情報は、ＱｏＳ保証指示である
態様で、実装されてよい。
【００７７】
本実施形態において、ユーザがＱｏＳ保証されたユーザであり、ユーザによってアクセスされるサービスがネットワークサービスプロバイダの保証されたサービスに属する場合、ＰＣＲＦは、サービスにおいてＱｏＳ保証を実行するように命令するＱｏＳ保証指示を生成してよい。ＱｏＳ保証指示は、ＰＣＣルール又は２進文字であってよく、これは、本明細書に限定されるものではない。
【００７８】
任意に、図２に示される実施形態又は任意の実施形態に基づいて、本発明の本実施形態におけるサービス処理方法の他の実施形態において、サービス処理方法は、
ＰＣＲＦが、ユーザ情報及びサービス情報に従って、制御パラメータを生成すること
をさらに含み、
ＰＣＲＦが、サービス識別情報及びサービスがＱｏＳ保証を必要とすることを示す情報を、付加価値サービスプロセッサに送信することは、ＰＣＲＦが、サービス識別情報、サービスがＱｏＳ保証を必要とすることを示す情報、及び制御パラメータを、付加価値サービスプロセッサに送信し、これにより、付加価値サービスプロセッサは、ターゲットサービス情報を取得すべく、制御パラメータに従って、サービス識別情報に対応するサービスを処理することを含む。
【００７９】
本実施形態において、ＰＣＲＦは、ユーザ情報及びサービス情報に従って、制御パラメータを生成し、サービス識別情報、サービスがＱｏＳ保証を必要とすることを示す情報、及び制御パラメータを、付加価値サービスプロセッサに送信してよい。
【００８０】
サービス識別情報、サービスがＱｏＳ保証を必要とすることを示す情報、及び制御パラメータを受信した後で、付加価値サービスプロセッサは、サービス識別情報に従って、サービスを決定し、ターゲットサービス情報を取得すべく、制御パラメータに従って、サービスを処理し、サービスがＱｏＳ保証を必要とすることを示す情報に従って、ターゲットサービス情報をＰＣＲＦに返信する。
【００８１】
任意に、図２に示される実施形態又は任意の実施形態に基づいて、本発明の本実施形態におけるサービス処理方法の他の実施形態において、サービス処理方法は、以下をさらに含む。
【００８２】
ＰＣＲＦは、付加価値サービスプロセッサにおいて障害が発生したという障害通知を受信する。
【００８３】
本実施形態において、サービスチェーンシステムにおける付加価値サービスプロセッサにおいて障害が発生した場合、サービスチェーンシステムにおけるサービスコントローラ又はサービスコマンダは、障害を検出し、障害の障害通知をＰＣＲＦに送信してよく、ＰＣＲＦは、障害通知を受信してよい。
【００８４】
障害通知は、障害が発生した付加価値サービスプロセッサのタイプ、障害が発生した時刻、障害のタイプ、又は他の情報を含んでよく、これは、本明細書に限定されるものではない。
【００８５】
付加価値サービスプロセッサにおいて障害が発生した場合、付加価値サービスプロセッサは、これ以上付加価値サービスをユーザに提供することができず、従って、ネットワークサービスプロバイダは、ターゲットサービスによって占有されるネットワークリソースをユーザのために確保する必要がなく、ＰＣＲＦは、第１の制御ポリシを修正する必要があり、これにより、ＰＣＥＦは、非付加価値サービスによって占有されるネットワークリソースを確保することに留意されたい。
【００８６】
ＰＣＲＦは、障害通知及びサービス情報に従って、第１の制御ポリシを決定する。
【００８７】
障害が発生した付加価値サービスプロセッサが、サービス情報を変更可能な付加価値サービスプロセッサである場合、ＰＣＲＦは、障害通知及びサービス情報に従って、第１の制御ポリシを決定する。
【００８８】
障害が発生した付加価値サービスプロセッサが、サービス情報を変更することのできない付加価値サービスプロセッサである場合、ＰＣＲＦは、警告通知を生成してよく、又は、他の手続きを実行してよい。これは、本明細書に限定されるものではない。
【００８９】
サービス情報を取得した後で、ＰＣＲＦは、サービス情報をＰＣＲＦ又は他のストレージネットワーク要素に格納してよく、ＰＣＲＦがサービス情報を必要とする場合に、ＰＣＲＦは、ＰＣＲＦ又は他のストレージネットワーク要素からサービス情報を取得してよいことに留意されたい。
【００９０】
ＰＣＲＦは、第２の制御ポリシを取得すべく、サービス情報に従って、第１の制御ポリシを修正する。
【００９１】
第１の制御ポリシにおけるＱｏＳパラメータは、付加価値プロセッサによって処理されたサービスによって占有されるネットワークリソースを制御するために用いられる。第２の制御ポリシにおけるＱｏＳパラメータは、付加価値プロセッサによって処理されていないサービスによって占有されるネットワークリソースを制御するために用いられる。
【００９２】
ＰＣＲＦは、サービス情報に従って、ＱｏＳパラメータを生成し、第２の制御ポリシを取得すべく、ＱｏＳパラメータに従って、第１の制御ポリシを修正してよい。第２の制御ポリシは、ＰＣＲＦが、付加価値処理が実行されないサービスのユーザ情報及びサービス情報に従って決定をなした後で取得され、非付加価値サービスによって占有されるネットワークリソースを確保するために用いられる。
【００９３】
ＰＣＲＦは、第２の制御ポリシをＰＣＥＦに送信し、これにより、ＰＣＥＦは、第２の制御ポリシに従って、第１のネットワークリソースを第２のネットワークリソースに変更する。
【００９４】
第２のネットワークリソースは、非付加価値サービスによって占有されるネットワークリソースである。付加価値サービスプロセッサは、付加価値サービスをユーザに提供できないので、ユーザによってアクセスされるサービスは、この場合、非付加価値サービスであり、ネットワークサービスプロバイダは、サービスに対応する第１のネットワークリソースを、第２のネットワークリソースに変更し、これにより、ユーザの実際の要求を満たし、ユーザエクスペリエンスを向上させる。
【００９５】
任意に、図２に示される実施形態又は任意の実施形態に基づいて、本発明の本実施形態におけるサービス処理方法の他の実施形態において、ＰＣＲＦが、障害通知及びサービス情報に従って、第１の制御ポリシを決定することは、以下をさらに含む。
【００９６】
ＰＣＲＦは、付加価値サービスプロセッサに対応し、障害通知に保持される付加価値サービスタイプに従って、付加価値サービスタイプに対応するサービスチェーン情報を決定する。
【００９７】
サービスチェーン情報は、付加価値サービスタイプリスト及び／又はサービスチェーン識別情報であってよい。
【００９８】
ＰＣＲＦは、サービスチェーン情報に従って、サービスチェーン情報に対応するターゲットサービス識別情報を決定する。
【００９９】
本実施形態において、ターゲットサービスは、付加価値処理が実行されるサービスであり、ターゲットサービス識別情報は、ターゲットサービスに対応し、具体的には、ターゲットサービスのＩＰ５タプルである、又は、ターゲットサービスを決定するために利用可能な他の識別情報である。これは、本明細書に限定されるものではない。
【０１００】
ターゲットサービス識別情報がサービス情報に含まれるサービス識別情報と同じである場合、ＰＣＲＦは、ターゲットサービス識別情報に対応するポリシが第１の制御ポリシであると決定する。
【０１０１】
ＰＣＲＦは、他の方法を用いることによって、障害通知及びサービス情報に従って、第１の制御ポリシを決定してよいが、これは、本明細書に限定されるものではないことが理解されよう。
【０１０２】
理解を容易にするために、以下、本発明の本実施形態におけるサービス処理方法を、具体的な適用シナリオを用いることによって詳細に説明する。
【０１０３】
本実施形態の具体的な適用シナリオにおいて、ＡＦは、ビデオプロバイダであり、サービスは、ビデオプロバイダによって提供されるビデオサービスであり、サービス情報は、ビデオストリーム情報であり、ネットワークリソースは、帯域幅である。さらに、張三（Ｚｈａｎｇ  Ｓａｎ）がネットワークサービスプロバイダのゴールドユーザであり、ネットワークサービスプロバイダがゴールドユーザにビデオ保証サービス及びビデオ最適化サービスを提供し、ネットワークサービスプロバイダがビデオプロバイダに保証されたサービスを提供するものと仮定する。本実施形態を実装するネットワークアーキテクチャについて、図１を参照する。ここで、ＳＰは、ビデオプロバイダ側に位置付けられ、ＳＰＲ、ＰＣＲＦ、ＰＣＥＦ、ＴＤＦ、ＲＣＡＦ、及び付加価値サービスプロセッサは、ネットワークサービスプロバイダ側に位置付けられる。具体的な実装手続きは、以下の通りである。
【０１０４】
ＰＣＲＦは、ビデオのビデオストリーム情報をビデオプロバイダから取得してよい。ここで、ビデオストリーム情報に含まれるビデオ識別情報は、例えば、「ｎｂａ０２０７０３」である。
【０１０５】
Ｚｈａｎｇ  Ｓａｎがビデオプロバイダによって提供されるビデオにアクセスする場合、ＰＣＲＦは、「Ｚｈａｎｇ  Ｓａｎはネットワークサービスプロバイダのゴールドユーザである」、「ネットワークサービスプロバイダはゴールドユーザにビデオ保証サービス及びビデオ最適化サービスを提供する」、及び「ネットワークサービスプロバイダはビデオプロバイダに保証されたサービスを提供する」ことに従って、ビデオがＱｏＳ保証を必要とすると決定し、サービスチェーン情報を決定してよい。サービスチェーン情報は、例えば、「００３、ビデオ最適化−ＮＡＴ」である。ここで、「００３」は、サービスチェーン識別情報であり、「ビデオ最適化−ＮＡＴ」は、２つの付加価値サービスタイプ「ビデオ最適化」及び「ＮＡＴ」を含む付加価値サービスタイプリストである。
【０１０６】
「００３、ビデオ最適化−ＮＡＴ」が、帯域幅を変更可能なサービスチェーン情報であると仮定すると、「００３」は、予め設定された識別情報であり、ＰＣＲＦは、「００３」が予め設定されたサービス識別情報であることに従って、ビデオによって占有される帯域幅が変更可能であると決定してよい。あるいは、「ビデオ最適化」は帯域幅を変更してよいので、「ビデオ最適化」は予め設定されたサービスタイプであると仮定されてもよく、ＰＣＲＦが、サービスチェーン情報「００３、ビデオ最適化−ＮＡＴ」における「ビデオ最適化−ＮＡＴ」が「ビデオ最適化」を含むことを検出した場合、ビデオによって占有される帯域幅が変更可能であると決定されてもよい。
【０１０７】
サービスがＱｏＳ保証を必要とすることを示す情報は、ビデオにおいてＱｏＳ保証を実行するように命令するために用いられるＱｏＳ保証指示であってよく、例えば、「ｚｓ０３」であってよい。ＰＣＲＦは、「ｎｂａ０２０７０３」及び「ｚｓ０３」をビデオオプティマイザに送信する。
【０１０８】
ビデオオプティマイザは、識別情報「ｎｂａ０２０７０３」のビデオを最適化することによってターゲットサービス情報を取得してよく、ターゲットサービス情報は、最適化されたビデオストリーム情報である。具体的には、ビデオ最適化の前及び後におけるビデオストリーム情報の一部が、以下の表に示される。
【表１】
0006478358.tif 000002
【０１０９】
ビデオオプティマイザは、「ｚｓ０３」に従って、最適化されたビデオストリーム情報を返信する。
【０１１０】
ＰＣＲＦは、ビデオオプティマイザによって返信された、最適化されたビデオストリーム情報、例えば、（「ｎｂａ０２０７０３」、「Ｈ．２６３」、「６４ｋｂｐｓ」、「１５ｆｐｓ」、「７４ｋｂｐｓ」）を受信する。
【０１１１】
ＰＣＲＦは、第１の制御ポリシを生成すべく、（「ｎｂａ０２０７０３」、「Ｈ．２６３」、「６４ｋｂｐｓ」、「１５ｆｐｓ」、「７４ｋｂｐｓ」）に従って、ビデオに対応するＱｏＳパラメータを決定する。例えば、第１の制御ポリシは、（「ＧＺ００４」、「ｎｂａ０２０７０３」、「７４ｋｂｐｓ」、「８」、「２」、「３０ｋｂｐｓ」、「５００ｋｂｐｓ」）である。ここで、「ＧＺ００４」は、ＰＣＣルール名であり、「ｎｂａ０２０７０３」は、ビデオストリーム識別情報であり、「７４ｋｂｐｓ」は、最適化されたビデオストリームによって必要とされる帯域幅であり、「８」は、ＱＣＩであり、「２」は、ＡＲＰであり、「３０ｋｂｐｓ」は、ＧＢＲであり、「５００ｋｂｐｓ」は、ＭＢＲである。
【０１１２】
ＰＣＲＦは、（「ＧＺ００４」、「ｎｂａ０２０７０３」、「７４ｋｂｐｓ」、「８」、「２」、「３０ｋｂｐｓ」、「５００ｋｂｐｓ」）をＰＣＥＦに送信し、ＰＣＥＦは、（「ＧＺ００４」、「ｎｂａ０２０７０３」、「７４ｋｂｐｓ」、「８」、「２」、「３０ｋｂｐｓ」、「５００ｋｂｐｓ」）に従って、「ｎｂａ０２０７０３」のビデオストリームに対応する帯域幅を７４ｋｂｐｓに設定する。この場合、ネットワークサービスプロバイダによってＺｈａｎｇ  Ｓａｎに提供される帯域幅は、最適化されたビデオストリームによって必要とされる帯域幅であり、これにより、ユーザの実際の要求を満たす。
【０１１３】
前述の例は例示に過ぎず、具体的な実際の適用において、ビデオストリーム情報、ビデオ識別情報、サービスチェーン情報、及び第１の制御ポリシは、他の形式で示されてもよいことを理解されたい。これは、本明細書に限定されるものではない。
【０１１４】
実際の適用において、ネットワークサービスプロバイダは、ＱｏＳサービス処理専用の付加価値サービスプロセッサを設定してもよく、これに対応して、ネットワークサービスプロバイダによって設定されるＰＣＲＦのサービス情報処理は、異なってもよい。図３を参照すると、本発明の本実施形態におけるサービス処理方法の他の実施形態は、以下の段階を含む。
【０１１５】
３０１．ＰＣＲＦは、サービスのサービス情報を取得する。ここで、サービス情報は、サービス識別情報を含む。
【０１１６】
段階３０１は、図２に示される実施形態における段階２０１と同様であり、これは、本明細書に限定されるものではない。
【０１１７】
３０２．ＰＣＲＦが、ユーザ情報及びサービス情報に従って、サービスがサービス品質ＱｏＳ保証を必要とすると決定した場合に、ＰＣＲＦは、サービスチェーン情報を生成する。
【０１１８】
ＰＣＲＦは、ユーザ関連情報を、ＰＣＣアーキテクチャにおける他の機能エンティティから取得してよい。ユーザ情報は、ＳＰＲからのユーザ加入契約情報、ユーザが位置付けられるネットワークにおける、ＲＣＡＦからのネットワーク輻輳情報、ＰＣＥＦからのユーザ位置情報、又はＰＣＥＦからのアクセスネットワークタイプであってよく、又は、サービスにアクセスするユーザの他の情報であってよい。これは、本明細書に限定されるものではない。
【０１１９】
ユーザ情報及びサービス情報に従って、サービスがサービス品質ＱｏＳ保証を必要とすると決定した場合に、ＰＣＲＦは、サービスチェーン情報を生成する。サービスチェーン情報は、サービスチェーンに対応し、サービスチェーンに含まれる付加価値サービスプロセッサは、ＱｏＳ保証を必要とするサービスの処理専用であり、ＱｏＳ保証されていないサービスを処理するものではない。
【０１２０】
３０３．ＰＣＲＦは、サービスチェーン情報及びサービス識別情報をサービスチェーンシステムに送信する。
【０１２１】
サービスチェーン情報を生成した後で、ＰＣＲＦは、サービスチェーン情報及びサービス識別情報をサービスチェーンシステムに送信する。
【０１２２】
サービスチェーンシステムは、サービスチェーン情報に従って、サービスチェーンを決定し、サービス識別情報に従って、サービスを決定する。サービスチェーンにおける付加価値サービスプロセッサは、ターゲットサービス情報を取得すべく、サービスにおいて付加価値処理を実行する。
【０１２３】
３０４．ＰＣＲＦは、サービスチェーンシステムによって返信された、サービス識別情報に対応するサービスのターゲットサービス情報を受信する。
【０１２４】
３０５．ＰＣＲＦは、ターゲットサービス情報に従って、第１の制御ポリシを生成する。
【０１２５】
３０６．ＰＣＲＦは、第１の制御ポリシをＰＣＥＦに送信し、これにより、ＰＣＥＦは、第１の制御ポリシに従って、第１のネットワークリソースを確保する。
【０１２６】
段階３０４から段階３０６は、図２に示される実施形態における段階２０４から段階２０６と同様であり、本明細書において詳細は説明されない。
【０１２７】
本発明の本実施形態において、ＰＣＲＦは、サービス情報を取得する。ユーザ情報及びサービス情報に従って、サービスがＱｏＳ保証を必要とすると決定した場合に、ＰＣＲＦは、サービスチェーン情報を生成し、サービスチェーン情報及びサービス識別情報をサービスチェーンシステムに送信する。ＰＣＲＦは、サービスチェーンシステムによって返信された、サービス識別情報に対応するサービスのターゲットサービス情報を受信する。ＰＣＲＦは、ターゲットサービス情報に従って、第１の制御ポリシを生成し、第１の制御ポリシをＰＣＥＦに送信し、これにより、ＰＣＥＦは、第１の制御ポリシに従って、ネットワークリソースを確保する。この場合、ユーザによって用いられるネットワークリソースは、付加価値処理の後で保証されたサービスに対応するネットワークリソースであり、これにより、ユーザの実際の要求を満たし、ユーザのサービスエクスペリエンスを向上させる。
【０１２８】
任意に、図３に示される実施形態に基づいて、本発明の本実施形態におけるサービス処理方法の他の実施形態において、ＰＣＲＦは、サービスチェーンシステムにおけるＱｏＳ保証のための付加価値サービスプロセッサによって返信されたターゲットサービス情報を受信する。ここで、ターゲットサービス情報は、ＱｏＳ保証のための付加価値サービスプロセッサがサービス識別情報に対応するサービスを処理した後で取得される。
【０１２９】
本発明の本実施形態において、サービスチェーンシステムは、サービスチェーン情報に従って、サービスチェーンを決定し、サービス識別情報に従って、サービスを決定する。ターゲットサービス情報を取得すべく、サービスにおいて付加価値処理を実行した後で、サービスチェーンにおけるＱｏＳ保証のための付加価値サービスプロセッサは、ターゲットサービス情報をＰＣＲＦに返信する。ＰＣＲＦは、ターゲットサービス情報を受信する。
【０１３０】
理解を容易にするために、以下、本発明の本実施形態におけるサービス処理方法を、具体的な適用シナリオを用いることによって詳細に説明する。
【０１３１】
本実施形態の具体的な適用シナリオにおいて、ＡＦは、ビデオプロバイダであり、サービスは、ビデオプロバイダによって提供されるビデオサービスであり、サービス情報は、ビデオストリーム情報であり、ネットワークリソースは、帯域幅である。さらに、Ｚｈａｎｇ  Ｓａｎがネットワークサービスプロバイダのゴールドユーザであり、ネットワークサービスプロバイダがゴールドユーザにビデオ保証サービス及びビデオ最適化サービスを提供し、ネットワークサービスプロバイダがビデオプロバイダに保証されたサービスを提供し、ネットワークサービスプロバイダによって提供されるビデオオプティマイザがＱｏＳ保証専用であるものと仮定する。本実施形態を実装するネットワークアーキテクチャについて、図１を参照する。ここで、ＳＰは、ビデオプロバイダ側に位置付けられ、ＳＰＲ、ＰＣＲＦ、ＰＣＥＦ、ＴＤＦ、ＲＣＡＦ、及び付加価値サービスプロセッサは、ネットワークサービスプロバイダ側に位置付けられる。具体的な実装手続きは、以下の通りである。
【０１３２】
ＰＣＲＦは、ビデオのビデオストリーム情報をビデオプロバイダから取得してよい。ここで、ビデオストリーム情報に含まれるビデオ識別情報は、例えば、「ｎｂａ０２０７０３」である。
【０１３３】
Ｚｈａｎｇ  Ｓａｎがビデオプロバイダによって提供されるビデオにアクセスする場合、ＰＣＲＦは、「Ｚｈａｎｇ  Ｓａｎはネットワークサービスプロバイダのゴールドユーザである」、「ネットワークサービスプロバイダはゴールドユーザにビデオ保証サービス及びビデオ最適化サービスを提供する」、及び「ネットワークサービスプロバイダはビデオプロバイダに保証されたサービスを提供する」ことに従って、ビデオがＱｏＳ保証を必要とすると決定してよく、ＰＣＲＦは、サービスチェーン情報を生成する。サービスチェーン情報は、例えば、「００３、ビデオ最適化−ＮＡＴ」である。ここで、「００３」は、サービスチェーン識別情報であり、「ビデオ最適化−ＮＡＴ」は、２つの付加価値サービスタイプ「ビデオ最適化」及び「ＮＡＴ」を含む付加価値サービスタイプリストである。
【０１３４】
ＰＣＲＦは、「ｎｂａ０２０７０３」及び「００３、ビデオ最適化−ＮＡＴ」をサービスチェーンシステムに送信する。サービスチェーンシステムは、最適化されたビデオストリーム情報を取得すべく、識別情報「ｎｂａ０２０７０３」のビデオを最適化する。具体的には、サービスチェーンシステムにおけるサービス制御ネットワーク要素は、「００３、ビデオ最適化−ＮＡＴ」に従って、識別情報「ｎｂａ０２０７０３」のビデオストリームがビデオオプティマイザ及びＮＡＴプロセッサを通過する必要があると決定してよく、サービス制御ネットワーク要素は、ＱｏＳ保証専用の複数のビデオオプティマイザから少なくとも１つを選択してよい。サービスチェーンシステムにおけるビデオオプティマイザは、ターゲットサービス情報を取得すべく、識別情報「ｎｂａ０２０７０３」のビデオを最適化する。ここで、ターゲットサービス情報は、最適化されたビデオストリームである。具体的には、ビデオ最適化の前及び後におけるビデオストリーム情報の一部が、以下の表に示される。
【表２】
0006478358.tif 000003
【０１３５】
ＰＣＲＦは、ビデオオプティマイザによって返信された、最適化されたビデオストリーム情報、例えば、（「ｎｂａ０２０７０３」、「Ｈ．２６３」、「６４ｋｂｐｓ」、「１５ｆｐｓ」、「７４ｋｂｐｓ」）を受信する。
【０１３６】
ＰＣＲＦは、第１の制御ポリシを生成すべく、（「ｎｂａ０２０７０３」、「Ｈ．２６３」、「６４ｋｂｐｓ」、「１５ｆｐｓ」、「７４ｋｂｐｓ」）に従って、ビデオに対応するＱｏＳパラメータを決定する。例えば、第１の制御ポリシは、（「ＧＺ００４」、「ｎｂａ０２０７０３」、「７４ｋｂｐｓ」、「８」、「２」、「３０ｋｂｐｓ」、「５００ｋｂｐｓ」）である。ここで、「ＧＺ００４」は、ＰＣＣルール名であり、「ｎｂａ０２０７０３」は、ビデオストリーム識別情報であり、「７４ｋｂｐｓ」は、最適化されたビデオストリームによって必要とされる帯域幅であり、「８」は、ＱＣＩであり、「２」は、ＡＲＰであり、「３０ｋｂｐｓ」は、ＧＢＲであり、「５００ｋｂｐｓ」は、ＭＢＲである。
【０１３７】
ＰＣＲＦは、（「ＧＺ００４」、「ｎｂａ０２０７０３」、「７４ｋｂｐｓ」、「８」、「２」、「３０ｋｂｐｓ」、「５００ｋｂｐｓ」）をＰＣＥＦに送信し、ＰＣＥＦは、（「ＧＺ００４」、「ｎｂａ０２０７０３」、「７４ｋｂｐｓ」、「８」、「２」、「３０ｋｂｐｓ」、「５００ｋｂｐｓ」）に従って、「ｎｂａ０２０７０３」のビデオストリームに対応する帯域幅を７４ｋｂｐｓに設定する。この場合、ネットワークサービスプロバイダによってＺｈａｎｇ  Ｓａｎに提供される帯域幅は、最適化されたビデオストリームによって必要とされる帯域幅であり、これにより、ユーザの実際の要求を満たす。
【０１３８】
前述の例は例示に過ぎず、具体的な実際の適用において、ビデオストリーム情報、ビデオ識別情報、サービスチェーン情報、及び第１の制御ポリシは、他の形式で示されてもよいことを理解されたい。これは、本明細書に限定されるものではない。
【０１３９】
前述の内容は、本発明の実施形態におけるサービス処理方法を、方法の観点から説明した。以下、本発明の実施形態を、装置の観点から説明する。図４を参照すると、本発明の実施形態におけるＰＣＲＦの実施形態は、
サービスのサービス情報を取得するように構成される取得モジュールであって、サービス情報は、サービス識別情報を含む、取得モジュール４０１と、
ユーザ情報及びサービス情報に従って、サービスがサービス品質ＱｏＳ保証を必要とすることを示す情報及びサービスチェーン情報を取得するように構成されるサービスチェーン決定モジュール４０２と、
サービスチェーン情報に従って、サービスによって占有されるネットワークリソースが変更可能であると決定された場合に、サービス識別情報及びサービスがＱｏＳ保証を必要とすることを示す情報を、付加価値サービスプロセッサに送信するように構成される第１の送信モジュール４０３と、
付加価値サービスプロセッサによって返信された、サービス識別情報に対応するサービスのターゲットサービス情報を受信するように構成される受信モジュール４０４と、
ターゲットサービス情報に従って、第１の制御ポリシを生成するように構成される制御決定モジュール４０５と、
第１の制御ポリシをＰＣＥＦに送信するように構成され、これにより、ＰＣＥＦは、第１の制御ポリシに従って、第１のネットワークリソースを確保する、第２の送信モジュール４０６と、
を含む。
【０１４０】
本発明の本実施形態において、取得モジュール４０１は、サービス情報を取得し、サービスチェーン決定モジュール４０２は、サービスがＱｏＳ保証を必要とすることを示す情報、及びサービスチェーン情報を取得すべく、ユーザ情報及びサービス情報に従って、サービスチェーン決定をなし、サービスチェーン情報に従って、サービスによって占有されるネットワークリソースが変更可能であると決定された場合に、第１の送信モジュール４０３は、サービス識別情報、及びサービスがＱｏＳ保証を必要とすることを示す情報を、付加価値サービスプロセッサに送信し、受信モジュール４０４は、付加価値サービスプロセッサによって返信された、サービス識別情報に対応するサービスのターゲットサービス情報を受信し、制御決定モジュール４０５は、ターゲットサービス情報に従って、第１の制御ポリシを生成し、第２の送信モジュール４０６は、第１の制御ポリシをＰＣＥＦに送信し、これにより、ＰＣＥＦは、第１の制御ポリシに従って、ターゲットサービスによって占有されるネットワークリソースを確保する。この場合、ユーザによって用いられるネットワークリソースは、付加価値処理の後で保証されたサービスによって占有されるネットワークリソースであり、これにより、ユーザの実際の要求を満たし、ユーザのサービスエクスペリエンスを向上させる。
【０１４１】
実際の適用において、いくつかの状況において、付加価値サービスプロセッサにおいて障害が発生した場合、ＰＣＲＦは、実際の状況に従って、付加価値サービスプロセッサによって影響されるネットワークリソースをさらに修正してよい。
【０１４２】
任意に、図４に示される実施形態に基づいて、図５を参照すると、本発明の本実施形態におけるＰＣＲＦの他の実施形態において、ＰＣＲＦは、判断モジュール５０１をさらに含む。
【０１４３】
判断モジュール５０１は、サービスチェーン情報に含まれる付加価値サービスタイプリストが予め設定されたサービスタイプを含か否かを決定し、付加価値サービスタイプリストが予め設定されたサービスタイプを含む場合に、サービスによって占有されるネットワークリソースが変更可能であると決定するように構成される、又は、
判断モジュール５０１は、サービスチェーン情報に含まれるサービスチェーン識別情報が予め設定された識別情報であるか否かを決定し、サービスチェーン識別情報が予め設定された識別情報である場合に、サービスによって占有されるネットワークリソースが変更可能であると決定するように構成される。
【０１４４】
任意に、図４又は任意の実施形態に示される実施形態に基づいて、本発明の本実施形態におけるＰＣＲＦの他の実施形態において、サービスチェーン決定モジュール４０２が、ユーザ情報及びサービス情報に従って、サービスがサービス品質ＱｏＳ保証を必要とすることを示す情報を取得するように構成されることは、サービスチェーン決定モジュール４０２が、具体的には、ユーザ情報及びサービス情報に従って、サービスがＱｏＳ保証を必要すると決定された場合に、ＱｏＳ保証指示を生成するように構成され、サービスがＱｏＳ保証を必要とすることを示す情報は、ＱｏＳ保証指示である態様で、実装されてよい。
【０１４５】
任意に、図４又は任意の実施形態に示される実施形態に基づいて、本発明の本実施形態におけるＰＣＲＦの他の実施形態において、サービスチェーン決定モジュール４０２は、ユーザ情報及びサービス情報に従って、制御パラメータを生成するようにさらに構成され、
第１の送信モジュール４０３は、具体的には、サービスチェーン情報に従って、サービスによって占有されるネットワークリソースが変更可能であると決定された場合に、サービス識別情報、サービスがＱｏＳ保証を必要とすることを示す情報、及び制御パラメータを、付加価値サービスプロセッサに送信するように構成され、これにより、付加価値サービスプロセッサは、ターゲットサービス情報を取得すべく、制御パラメータに従って、サービス識別情報に対応するサービスを処理する。
【０１４６】
任意に、図４又は任意の実施形態に示される実施形態に基づいて、図６を参照すると、本発明の本実施形態におけるＰＣＲＦの他の実施形態において、受信モジュール４０４は、付加価値サービスプロセッサにおいて障害が発生したという障害通知を受信するようにさらに構成され、ＰＣＲＦは、決定モジュール６０１及び修正モジュール６０２をさらに含み、
決定モジュール６０１は、障害通知及びサービス情報に従って、第１の制御ポリシを決定するように構成され、
修正モジュール６０２は、第２の制御ポリシを取得すべく、サービス情報に従って、第１の制御ポリシを修正するように構成され、
第２の送信モジュール４０６は、第２の制御ポリシをＰＣＥＦに送信するようにさらに構成され、これにより、ＰＣＥＦは、第２の制御ポリシに従って、第１のネットワークリソースを第２のネットワークリソースに変更する。
【０１４７】
任意に、図４又は任意の実施形態に示される実施形態に基づいて、本発明の本実施形態におけるＰＣＲＦの他の実施形態において、決定モジュール６０１は、具体的には、付加価値サービスプロセッサに対応し、障害通知に保持される付加価値サービスタイプに従って、付加価値サービスタイプに対応するサービスチェーン情報を決定し、サービスチェーン情報に従って、サービスチェーン情報に対応するターゲットサービス識別情報を決定し、ターゲットサービス識別情報がサービス情報に含まれるサービス識別情報と同じである場合に、ターゲットサービス識別情報に対応するポリシが第１の制御ポリシであると決定するように構成される。
【０１４８】
本実施形態において、サービスチェーン情報は、サービスチェーン識別情報及び／又は付加価値サービスリストを含む。決定モジュールは、サービスチェーン識別情報、又は付加価値サービスリスト、又はこれらの組み合わせに従って、障害が発生した付加価値サービスプロセッサに対応する第１の制御ポリシを認識可能であることが理解されよう。
【０１４９】
図４に示されるＰＣＲＦの実施形態又は任意の実施形態におけるネットワーク要素のインタラクションの具体的な動作プロセスの実装について、図２に示されるサービス処理方法の実施形態又は任意の実施形態が参照され、本明細書において詳細は説明されない。
【０１５０】
図７を参照すると、本発明の実施形態におけるサービス処理システムの実施形態は、ＰＣＲＦ７０１と、付加価値サービスプロセッサ７０２と、を含む。
【０１５１】
ＰＣＲＦ７０１は、
サービスのサービス情報であって、サービス識別情報を含むサービス情報をアプリケーション機能ＡＦから取得し、
ユーザ情報及びサービス情報に従って、サービスがサービス品質ＱｏＳ保証を必要とすることを示す情報及びサービスチェーン情報を取得し、
サービスチェーン情報に従って、サービスによって占有されるネットワークリソースが変更可能であると決定した場合に、サービス識別情報及びサービスがＱｏＳ保証を必要とすることを示す情報を、付加価値サービスプロセッサ７０２に送信し、
付加価値サービスプロセッサ７０２によって返信された、サービス識別情報に対応するサービスのターゲットサービス情報を受信し、
ターゲットサービス情報に従って、第１の制御ポリシを生成し、
第１の制御ポリシをＰＣＥＦに送信し、これにより、ＰＣＥＦは、第１の制御ポリシに従って、第１のネットワークリソースを確保するように構成され、
付加価値サービスプロセッサ７０２は、サービス識別情報及びサービスがＱｏＳ保証を必要とすることを示す情報を受信し、サービス識別情報に対応するサービスのターゲットサービス情報をＰＣＲＦ７０１に返信するように構成され、サービス識別情報及びサービスがＱｏＳ保証を必要とすることを示す情報は、ＰＣＲＦ７０１によって送信される。
【０１５２】
任意に、本発明の本実施形態におけるサービス処理システムの他の実施形態において、付加価値サービスプロセッサ７０２は、サービス識別情報に従って、サービスを決定し、ターゲットサービス情報を取得すべく、サービスを処理するようにさらに構成される。
【０１５３】
任意に、本発明の本実施形態におけるサービス処理システムの他の実施形態において、ＰＣＲＦ７０１は、ユーザ情報及びサービス情報に従って、制御パラメータを生成するようにさらに構成され、
ＰＣＲＦ７０１が、サービス識別情報及びサービスがＱｏＳ保証を必要とすることを示す情報を付加価値サービスプロセッサ７０２に送信するように構成されることは、ＰＣＲＦ７０１が、サービス識別情報、サービスがＱｏＳ保証を必要とすることを示す情報、及び制御パラメータを、付加価値サービスプロセッサに送信するように構成される態様で、実装されてよく、
付加価値サービスプロセッサ７０２は、制御パラメータを受信し、ターゲット情報を取得すべく、制御パラメータに従って、サービス識別情報に対応するサービスを処理するようにさらに構成される。
【０１５４】
任意に、本発明の本実施形態におけるサービス処理システムの他の実施形態において、付加価値サービスプロセッサ７０２が、ターゲット情報を取得すべく、制御パラメータに従って、サービス識別情報に対応するサービスを処理するように構成されることは、付加価値サービスプロセッサ７０２が、制御パラメータに従って、サービス最適化パラメータを選択し、ターゲットサービス情報を取得すべく、サービス最適化パラメータに従って、サービスを処理するように構成される態様で、実装されてよい。
【０１５５】
任意に、本発明の本実施形態におけるサービス処理システムの他の実施形態において、付加価値サービスプロセッサ７０２が、サービス識別情報に対応するサービスのターゲットサービス情報を、ＰＣＲＦ７０１に返信するように構成されることは、付加価値サービスプロセッサ７０２が、サービスがＱｏＳ保証を必要とすることを示す情報に従って、サービス識別情報に対応するサービスのターゲットサービス情報をＰＣＲＦ７０１に返信するように構成される態様で、実装されてよい。
【０１５６】
図７に示されるサービス処理システムの実施形態又は任意の実施形態におけるネットワーク要素のインタラクションの具体的な動作プロセスの実装について、図３に示されるサービス処理方法の実施形態又は任意の実施形態が参照され、本明細書において詳細は説明されない。
【０１５７】
前述された実施形態の理解を容易にするために、以下、具体的な適用シナリオにおける、サービス処理システムにおけるモジュールのインタラクションプロセスを、説明例として用いる。
【０１５８】
取得モジュール４０１は、サービスのサービス情報を取得する。サービスチェーン決定モジュール４０２は、ユーザ情報及びサービス情報に従って、サービスがＱｏＳ保証を必要とすることを示す情報、及びサービスチェーン情報を取得する。判断モジュール５０１が、サービスチェーン情報に従って、サービスによって占有されるネットワークリソースが変更可能であると決定した場合に、第１の送信モジュール４０３は、サービス識別情報、及び、サービスがＱｏＳ保証を必要とすることを示す情報を、付加価値サービスプロセッサ７０２に送信する。受信モジュール４０４は、付加価値サービスプロセッサ７０２によって返信された、ターゲット識別情報に対応するサービスのターゲットサービス情報を受信する。制御決定モジュール４０５は、ターゲットサービス情報に従って、第１の制御ポリシを生成する。第２の送信モジュール４０６は、第１の制御ポリシをＰＣＥＦに送信する。
【０１５９】
サービスチェーン情報は、付加価値サービスタイプリストを含み、判断モジュール５０１が、サービスチェーン情報に従って、サービスによって占有されるネットワークリソースが変更可能であると決定することは、判断モジュール５０１が、付加価値サービスタイプリストが予め設定されたサービスタイプを含むか否かを決定し、付加価値サービスタイプリストが予め設定されたサービスタイプを含む場合に、サービスによって占有されるネットワークリソースが変更可能であると決定する態様で、実装されてよい。
【０１６０】
サービスチェーン情報は、サービスチェーン識別情報を含み、判断モジュール５０１が、サービスチェーン情報に従って、サービスによって占有されるネットワークリソースが変更可能であると決定することは、判断モジュール５０１が、サービスチェーン識別情報が予め設定された識別情報であるか否かを決定し、サービスチェーン識別情報が予め設定された識別情報である場合に、サービスによって占有されるネットワークリソースが変更可能であると決定する態様で、実装されてよい。
【０１６１】
サービスチェーン決定モジュール４０２が、ユーザ情報及びサービス情報に従って、サービスがＱｏＳ保証を必要とすることを示す情報を取得することは、ユーザ情報及びサービス情報に従ってサービスがＱｏＳ保証を必要とすると決定した場合に、サービスチェーン決定モジュール４０２は、ＱｏＳ保証指示を生成し、サービスがＱｏＳ保証を必要とすることを示す情報は、ＱｏＳ保証指示である態様で、実装されてよい。
【０１６２】
前述のサービス処理方法は、サービスチェーン決定モジュール４０２が、ユーザ情報及びサービス情報に従って、制御パラメータを生成することをさらに含み、第１の送信モジュール４０３が、サービス識別情報及びサービスがＱｏＳ保証を必要とすることを示す情報を、付加価値サービスプロセッサ７０２に送信することは、第１の送信モジュール４０３が、サービス識別情報、サービスがＱｏＳ保証を必要とすることを示す情報、及び制御パラメータを、付加価値サービスプロセッサ７０２に送信し、これにより、付加価値サービスプロセッサ７０２は、ターゲットサービス情報を取得すべく、制御パラメータに従って、サービス識別情報に対応するサービスを処理することを含む。
【０１６３】
前述のサービス処理方法は、受信モジュール４０４が、付加価値サービスプロセッサにおいて障害が発生したという障害通知７０２を受信することと、決定モジュール６０１が、ＡＦから取得された障害通知及びサービス情報に従って、第１の制御ポリシを決定することと、修正モジュール６０２が、第２の制御ポリシを取得すべく、サービス情報に従って、第１の制御ポリシを修正することと、第２の送信モジュール６０６が、第２の制御ポリシをＰＣＥＦに送信し、これにより、ＰＣＥＦは、第２の制御ポリシに従って、第１のネットワークリソースを第２のネットワークリソースに変更することと、をさらに含む。
【０１６４】
決定モジュール６０１が、ＡＦから取得された障害通知及びサービス情報に従って、第１の制御ポリシを決定することは、決定モジュール６０１が、付加価値サービスプロセッサに対応し、障害通知に保持される付加価値サービスタイプに従って、付加価値サービスタイプに対応するサービスチェーン情報であって、付加価値サービスタイプリスト又はサービスチェーン識別情報であるサービスチェーン情報を決定することと、サービスチェーン情報に従って、サービスチェーン情報に対応するターゲットサービス識別情報を決定することと、ターゲットサービス識別情報がサービス情報に含まれるサービス識別情報と同じである場合に、ターゲットサービス識別情報に対応するポリシが第１の制御ポリシであると決定することと、を含む。
【０１６５】
本実施形態において、サービス処理システムにおけるＰＣＲＦの実装について、図４に示される装置の実施形態又は任意の実施形態を参照し、本明細書において詳細は説明されない。
【０１６６】
実際の適用において、ネットワークサービスプロバイダは、サービスを処理するＱｏＳ保証専用の付加価値サービスプロセッサを設定してよく、これに対応して、ネットワークサービスプロバイダによって設定されるＰＣＲＦは、異なってもよい。図８を参照すると、本発明の本実施形態におけるＰＣＲＦの他の実施形態は、
サービスのサービス情報を取得するように構成される取得モジュールであって、サービス情報は、サービス識別情報を含む、取得モジュール８０１と、
ユーザ情報及びサービス情報に従って、サービスがＱｏＳ保証を必要とすると決定された場合に、サービスチェーン情報を生成するように構成されるサービスチェーン決定モジュール８０２と、
サービスチェーン情報及びサービス識別情報をサービスチェーンシステムに送信するように構成される送信モジュール８０３と、
サービスチェーンシステムによって返信された、サービス識別情報に対応するサービスのターゲットサービス情報を受信するように構成される受信モジュール８０４と、
ターゲットサービス情報に従って、第１の制御ポリシを生成するように構成される制御決定モジュール８０５と、
を含み、
送信モジュール８０３は、第１の制御ポリシをＰＣＥＦに送信するようにさらに構成され、これにより、ＰＣＥＦは、第１の制御ポリシに従って、第１のネットワークリソースを確保する。
【０１６７】
本発明の本実施形態において、取得モジュール８０１は、サービス情報を取得し、ユーザ情報及びサービス情報に従って、サービスがＱｏＳ保証を必要とすると決定された場合に、サービスチェーン決定モジュール８０２は、サービスチェーン情報を生成し、送信モジュール８０３は、サービスチェーン情報及びサービス識別情報をサービスチェーンシステムに送信し、サービスチェーンシステムは、ターゲットサービス情報を取得すべく、サービス識別情報に対応するサービスにおいて、付加価値処理を実行し、ターゲットサービス情報を受信モジュール８０４に返信し、制御決定モジュール８０５は、付加価値処理が実行されないサービスの取得されたサービス情報に従って、ネットワークサービスプロバイダによって予め設定された制御ポリシを生成する代わりに、ターゲットサービス情報に従って、第１の制御ポリシを生成し、送信モジュール８０３は、第１の制御ポリシをＰＣＥＦに送信し、これにより、ＰＣＥＦは、第１の制御ポリシに従って、ネットワークリソースを確保する。この場合、ユーザによって用いられるネットワークリソースは、付加価値処理の後で保証されたサービスに対応するネットワークリソースであり、これにより、ユーザの実際の要求を満たし、ユーザのサービスエクスペリエンスを向上させる。
【０１６８】
任意に、図８に示される実施形態に基づいて、本発明の本実施形態におけるＰＣＲＦの他の実施形態において、受信モジュール８０４は、具体的には、サービスチェーンシステムにおけるＱｏＳ保証のための付加価値サービスプロセッサによって返信されたターゲットサービス情報を受信するように構成される。ここで、ターゲットサービス情報は、ＱｏＳ保証のための付加価値サービスプロセッサがサービス識別情報に対応するサービスを処理した後で取得される。
【０１６９】
図８に示されるＰＣＲＦの実施形態又は任意の実施形態におけるネットワーク要素のインタラクションの具体的な動作プロセスの実装について、図３に示されるサービス処理方法の実施形態又は任意の実施形態が参照され、本明細書において詳細は説明されない。
【０１７０】
図９を参照すると、本発明の本実施形態におけるサービス処理システムの他の実施形態は、ＰＣＲＦ９０１と、サービスチェーンシステム９０２と、を含む。
【０１７１】
ＰＣＲＦ９０１は、サービスのサービス情報であって、サービス識別情報を含むサービス情報を取得し、ユーザ情報及びサービス情報に従って、サービスがＱｏＳ保証を必要とすると決定した場合に、サービスチェーン情報を生成し、サービスチェーン情報及びサービス識別情報をサービスチェーンシステム９０２に送信し、サービスチェーンシステム９０２によって返信された、サービス識別情報に対応するサービスのターゲットサービス情報を受信し、ターゲットサービス情報に従って、第１の制御ポリシを生成し、第１の制御ポリシをＰＣＥＦに送信するように構成され、これにより、ＰＣＥＦは、第１の制御ポリシに従って、第１のネットワークリソースを確保する。
【０１７２】
サービスチェーンシステム９０２は、ＰＣＲＦ９０１によって送信されたサービスチェーン情報及びサービス識別情報を受信し、サービス識別情報に対応するサービスのターゲットサービス情報をＰＣＲＦ９０１に返信するように構成される。
【０１７３】
任意に、図９に示される実施形態に基づいて、本発明の本実施形態におけるサービス処理システムの他の実施形態において、サービスチェーンシステム９０２は、サービスチェーン情報に従って、サービスチェーンシステム９０２におけるＱｏＳ保証のための付加価値サービスプロセッサ９０２２を決定し、ターゲットサービス情報を取得すべく、サービス識別情報に対応するサービスを処理するようにさらに構成される。
【０１７４】
任意に、図９に示される実施形態に基づいて、本発明の本実施形態におけるサービス処理システムの他の実施形態において、図１０を参照すると、サービスチェーンシステム９０２は、サービスチェーン制御ネットワーク要素９０２１と、ＱｏＳ保証のための付加価値サービスプロセッサ９０２２と、を含む。
【０１７５】
サービスチェーンシステム９０２が、ＰＣＲＦ９０１によって送信されたサービスチェーン情報及びサービス識別情報を受信するように構成されることは、サービスチェーン制御ネットワーク要素９０２１が、ＰＣＲＦ９０１によってによって送信されたサービスチェーン情報及びサービス識別情報を受信する態様で、実装されてよい。
【０１７６】
サービスチェーンシステム９０２が、サービスチェーン情報に従って、サービスチェーンシステムにおけるＱｏＳ保証のための付加価値サービスプロセッサ９０２２を決定するように構成されることは、サービスチェーン制御ネットワーク要素９０２１が、ＱｏＳ保証のための付加価値サービスプロセッサ９０２２を決定するように構成される態様で、実装されてよい。
【０１７７】
サービスチェーンシステム９０２が、ターゲットサービス情報を取得すべく、サービス識別情報に対応するサービスを処理するように構成されることは、ＱｏＳ保証のための付加価値サービスプロセッサ９０２２が、ターゲットサービス情報を取得すべく、サービス識別情報に対応するサービスを処理するように構成される態様で、実装されてよい。
【０１７８】
サービスチェーンシステム９０２が、サービス識別情報に対応するサービスのターゲットサービス情報をＰＣＲＦ９０１に返信するように構成されることは、ＱｏＳ保証のための付加価値サービスプロセッサ９０２２が、ターゲットサービス情報をＰＣＲＦ９０１に返信するように構成される態様で、実装されてよい。
【０１７９】
任意に、本発明の本実施形態におけるサービス処理システムの他の実施形態において、ＰＣＲＦ９０１が、サービスチェーンシステム９０２によって返信された、サービス識別情報に対応するサービスのターゲット情報を受信するように構成されることは、ＰＣＲＦ９０１が、ＱｏＳ保証のための付加価値サービスプロセッサ９０２２によって返信されたターゲットサービス情報を受信するように構成される態様で、実装されてよい。
【０１８０】
任意に、本発明の本実施形態におけるサービス処理システムの他の実施形態において、ＰＣＲＦ９０１が、サービスチェーン情報及びサービス識別情報をサービスチェーンシステム９０２に送信するように構成されることは、ＰＣＲＦ９０１が、サービスチェーン情報及びサービス識別情報をサービスチェーンシステムにおけるサービスチェーン制御ネットワーク要素９０２１に送信するように構成される態様で、実装されてよい。
【０１８１】
図１０に示されるサービス処理システムの実施形態又は任意の実施形態におけるネットワーク要素のインタラクションの具体的な動作プロセスの実装について、図３に示されるサービス処理方法の実施形態又は任意の実施形態が参照され、本明細書において詳細は説明されない。
【０１８２】
前述された実施形態の理解を容易にするために、以下、具体的な適用シナリオにおける、サービス処理システムにおけるモジュールのインタラクションプロセスを、説明例として用いる。
【０１８３】
取得モジュール８０１は、サービスのサービス情報を取得する。ここで、サービス情報は、サービス識別情報を含む。
【０１８４】
ユーザ情報及びサービス情報に従って、サービスがサービス品質ＱｏＳ保証を必要とすると決定した場合に、サービスチェーン決定モジュール８０２は、サービスチェーン情報を生成する。
【０１８５】
送信モジュール８０３は、サービスチェーン情報及びサービス識別情報を、サービスチェーンシステム９０２におけるサービスチェーン制御ネットワーク要素９０２１に送信する。
【０１８６】
受信モジュール８０４は、サービスチェーンシステム９０２における付加価値サービスプロセッサ９０２２によって返信された、サービス識別情報に対応するサービスのターゲットサービス情報を受信する。
【０１８７】
制御決定モジュール８０５は、ターゲットサービス情報に従って、第１の制御ポリシを生成する。
【０１８８】
送信モジュール８０３は、第１の制御ポリシをＰＣＥＦに送信し、これにより、ＰＣＥＦは、第１の制御ポリシに従って、第１のネットワークリソースを確保する。
【０１８９】
受信モジュール８０４は、具体的には、サービスチェーンシステム９０２におけるＱｏＳ保証のための付加価値サービスプロセッサによって返信されたターゲットサービス情報を受信するように構成される。ここで、ターゲットサービス情報は、ＱｏＳ保証のための付加価値サービスプロセッサがサービス識別情報に対応するサービスを処理した後で取得される。
【０１９０】
当業者によれば、簡便かつ簡潔な説明の目的で、前述のシステム、装置、及びユニットの具体的な動作プロセスについては、前述された方法の実施形態における対応プロセスが参照されてよく、本明細書において詳細は説明されないことが、明確に理解されよう。
【０１９１】
ＰＣＲＦの複数の実施形態において、実装において、取得モジュール、受信モジュール、第１の送信モジュール、第２の送信モジュール、及び送信モジュールは、トランシーバを用いることによって実装されてよく、サービスチェーン決定モジュール、制御決定モジュール、判断モジュール、決定モジュール、及び修正モジュールは、メモリにおけるプログラム又は命令を実行することによって、プロセッサによって実装されてよい（換言すると、プロセッサと、プロセッサに連結されたメモリにおける特別な命令との間における相互の連携によって、実装されてよい）ことを理解されたい。具体的な実装については従来技術が参照され、本明細書において詳細は説明されない。本発明は、前述の実装を含むが、これらに限定されるものではない。本発明の概念に従って実装されるあらゆる解決手段は、本発明の実施形態の保護範囲に属するものとすることを理解されたい。
【０１９２】
本発明の実施形態は、ＰＣＲＦのハードウェア構造を提供する。図１１を参照すると、ＰＣＲＦのハードウェア構造は、少なくとも１つのトランシーバ１１０１と、少なくとも１つのプロセッサ１１０２と、メモリ１１０３と、を含んでよい。
【０１９３】
トランシーバ１１０１は、少なくとも１つの有線又は無線ネットワークインタフェース１１０１１、又は少なくとも１つの入力／出力インタフェース１１０１２を含んでよい。
【０１９４】
プロセッサ１１０２は、主に、汎用プロセッサ（例えば、ＣＰＵ）を含む。
【０１９５】
メモリ１１０３は、リードオンリメモリ又はランダムアクセスメモリを含んでよく、命令又はデータを、プロセッサ１１０２に提供してよい。メモリ１１０３の一部は、不揮発性ランダムアクセスメモリをさらに含んでよい。
【０１９６】
添付図面を参照して、以下、技術的解決手段が詳細に説明される。ここで、取得モジュール、受信モジュール、第１の送信モジュール、及び第２の送信モジュールは、トランシーバを用いることによって実装されてよく、サービスチェーン決定モジュール、制御決定モジュール、判断モジュール、及び決定モジュールは、メモリにおけるプログラム又は命令を実行することによって、プロセッサによって実装されてよい。
【０１９７】
トランシーバ１１０１は、サービスのサービス情報を取得する。
【０１９８】
プロセッサ１１０２は、ユーザ情報及びサービス情報に従って、サービスがＱｏＳ保証を必要とすることを示す情報、及びサービスチェーン情報を取得するように構成される。
【０１９９】
プロセッサ１１０２が、サービスチェーン情報に従って、サービスによって占有されるネットワークリソースが変更可能であると決定した場合に、トランシーバ１１０１は、サービス識別情報、及び、サービスがＱｏＳ保証を必要とすることを示す情報を、付加価値サービスプロセッサに送信する。
【０２００】
トランシーバ１１０１は、付加価値サービスプロセッサによって返信された、サービス識別情報に対応するサービスのターゲットサービス情報を受信する。
【０２０１】
プロセッサ１１０２は、ターゲットサービス情報に従って、第１の制御ポリシを生成するように構成される。
【０２０２】
トランシーバ１１０１は、第１の制御ポリシをＰＣＥＦに送信する。
【０２０３】
いくつかの実装において、メモリ１１０３は、サービス情報、サービスがＱｏＳ保証を必要とすることを示す情報、又はサービスチェーン情報を格納するように構成されてよく、命令又はデータをプロセッサ１１０２に提供する。
【０２０４】
任意に、本発明のいくつかの可能な実装において、プロセッサ１１０２が、サービスチェーン情報に従って、サービスによって占有されるネットワークリソースが変更可能であると決定することは、
プロセッサ１１０２が、付加価値サービスタイプリストが予め設定されたサービスタイプを含むか否かを決定し、付加価値サービスタイプリストが予め設定されたサービスタイプを含む場合に、サービスによって占有されるネットワークリソースが変更可能であると決定する
態様で、実装されてよい。
【０２０５】
任意に、本発明のいくつかの可能な実装において、プロセッサ１１０２が、サービスチェーン情報に従って、サービスによって占有されるネットワークリソースが変更可能であると決定することは、
プロセッサ１１０２が、サービスチェーン識別情報が予め設定された識別情報であるか否かを決定し、サービスチェーン識別情報が予め設定された識別情報である場合に、サービスによって占有されるネットワークリソースが変更可能であると決定する
態様で、実装されてよい。
【０２０６】
任意に、本発明のいくつかの可能な実装において、プロセッサ１１０２が、ユーザ情報及びサービス情報に従って、サービスがＱｏＳ保証を必要とすることを示す情報を取得することは、
ユーザ情報及びサービス情報に従ってサービスがＱｏＳ保証を必要とすると決定した場合に、プロセッサ１１０２は、ＱｏＳ保証指示を生成し、サービスがＱｏＳ保証を必要とすることを示す情報は、ＱｏＳ保証指示である
態様で、実装されてよい。
【０２０７】
任意に、本発明のいくつかの可能な実装において、プロセッサ１１０２は、ユーザ情報及びサービス情報に従って、制御パラメータを生成し、トランシーバ１１０１が、サービス識別情報及びサービスがＱｏＳ保証を必要とすることを示す情報を、付加価値サービスプロセッサに送信することは、
トランシーバ１１０１が、サービス識別情報、サービスがＱｏＳ保証を必要とすることを示す情報、及び制御パラメータを、付加価値サービスプロセッサに送信し、これにより、付加価値サービスプロセッサは、ターゲットサービス情報を取得すべく、制御パラメータに従って、サービス識別情報に対応するサービスを処理すること
を含む。
【０２０８】
任意に、本発明のいくつかの可能な実装において、トランシーバ１１０１は、付加価値サービスプロセッサにおいて障害が発生したという障害通知を受信し、
プロセッサ１１０２は、ＡＦから取得された障害通知及びサービス情報に従って、第１の制御ポリシを決定し、第２の制御ポリシを取得すべく、サービス情報に従って、第１の制御ポリシを修正し、
トランシーバ１１０１は、第２の制御ポリシをＰＣＥＦに送信し、これにより、ＰＣＥＦは、第２の制御ポリシに従って、第１のネットワークリソースを第２のネットワークリソースに変更する。
【０２０９】
任意に、本発明のいくつかの可能な実装において、プロセッサ１１０２が、ＡＦから取得された障害通知及びサービス情報に従って、第１の制御ポリシを決定することは、
プロセッサ１１０２が、付加価値サービスプロセッサに対応し、障害通知に保持される付加価値サービスタイプに従って、付加価値サービスタイプに対応するサービスチェーン情報を決定し、サービスチェーン情報に従って、サービスチェーン情報に対応するターゲットサービス識別情報を決定し、ターゲットサービス識別情報がサービス情報に含まれるサービス識別情報と同じである場合に、ターゲットサービス識別情報に対応するポリシが第１の制御ポリシであると決定すること
を含む。
【０２１０】
本発明の本実施形態において、トランシーバ１１０１は、サービス情報を取得し、プロセッサ１１０２は、サービスがＱｏＳ保証を必要とすることを示す情報、及びサービスチェーン情報を取得すべく、ユーザ情報及びサービス情報に従って、サービスチェーン決定をなし、プロセッサ１１０２が、サービスチェーン情報に従って、サービスによって占有されるネットワークリソースが変更可能であると決定した場合に、トランシーバ１１０１は、サービス識別情報及びサービスがＱｏＳ保証を必要とすることを示す情報を、付加価値サービスプロセッサに送信し、トランシーバ１１０１は、付加価値サービスプロセッサによって返信された、サービス識別情報に対応するサービスのターゲットサービス情報を受信し、プロセッサ１１０２は、付加価値処理が実行されないサービスのサービス情報に従って、ネットワークサービスプロバイダによって予め設定された制御ポリシを生成する代わりに、ターゲットサービス情報に従って、第１の制御ポリシを生成し、トランシーバ１１０１は、第１の制御ポリシをＰＣＥＦに送信し、これにより、ＰＣＥＦは、第１の制御ポリシに従って、ネットワークリソースを確保する。この場合、ユーザによって用いられるネットワークリソースは、付加価値処理の後で保証されたサービスに対応するネットワークリソースであり、これにより、ユーザの実際の要求を満たし、ユーザのサービスエクスペリエンスを向上させる。
【０２１１】
本実施形態における付加価値サービスプロセッサについて、その理解のために、図７に示されるサービス処理システムの実施形態における付加価値サービスプロセッサの一部の説明を参照するものとし、本明細書において詳細は説明されない。
【０２１２】
本発明の実施形態は、ＰＣＲＦのハードウェア構造を提供する。図１１を参照すると、ＰＣＲＦのハードウェア構造は、少なくとも１つのトランシーバ１１０１と、少なくとも１つのプロセッサ１１０２と、メモリ１１０３と、を含んでよい。
【０２１３】
トランシーバ１１０１は、少なくとも１つの有線又は無線ネットワークインタフェース１１０１１、又は少なくとも１つの入力／出力インタフェース１１０１２を含んでよい。
【０２１４】
プロセッサ１１０２は、主に、汎用プロセッサ（例えば、ＣＰＵ）を含む。
【０２１５】
メモリ１１０３は、リードオンリメモリ又はランダムアクセスメモリを含んでよく、命令又はデータを、プロセッサ１１０２に提供してよい。メモリ１１０３の一部は、不揮発性ランダムアクセスメモリをさらに含んでよい。
【０２１６】
添付図面を参照して、以下、技術的解決手段が詳細に説明される。ここで、取得モジュール、受信モジュール、及び送信モジュールは、トランシーバを用いることによって実装されてよく、サービスチェーン決定モジュール及び制御決定モジュールは、メモリにおけるプログラム又は命令を実行することによって、プロセッサによって実装されてよい。
【０２１７】
トランシーバ１１０１は、サービスのサービス情報を取得するように構成される。ここで、サービス情報は、サービス識別情報を含む。
【０２１８】
プロセッサ１１０２は、ユーザ情報及びサービス情報に従って、サービスがＱｏＳ保証を必要とすると決定した場合に、サービスチェーン情報を生成するように構成される。
【０２１９】
トランシーバ１１０１は、サービスチェーン情報及びサービス識別情報をサービスチェーンシステムに送信するように構成される。
【０２２０】
トランシーバ１１０１は、サービスチェーンシステムによって返信された、サービス識別情報に対応するサービスのターゲットサービス情報を受信するように構成される。
【０２２１】
プロセッサ１１０２は、ターゲットサービス情報に従って、第１の制御ポリシを生成するように構成される。
【０２２２】
トランシーバ１１０１は、第１の制御ポリシをＰＣＥＦに送信するようにさらに構成され、これにより、ＰＣＥＦは、第１の制御ポリシに従って、第１のネットワークリソースを確保する。
【０２２３】
任意に、本発明のいくつかの実施形態において、トランシーバ１１０１は、具体的には、サービスチェーンシステムにおけるＱｏＳ保証のための付加価値サービスプロセッサによって返信されたターゲットサービス情報を受信するように構成される。ここで、ターゲットサービス情報は、ＱｏＳ保証のための付加価値サービスプロセッサがサービス識別情報に対応するサービスを処理した後で取得される。
【０２２４】
本実施形態におけるサービスチェーンシステムについて、その理解のために、図１０に示されるサービス処理システムの実施形態におけるサービスチェーンシステムの一部の説明を参照するものとし、本明細書において詳細は説明されない。
【０２２５】
本発明の本実施形態において、トランシーバ１１０１は、サービス情報を取得する。ユーザ情報及びサービス情報に従って、サービスがＱｏＳ保証を必要とすると決定した場合に、プロセッサ１１０２は、サービスチェーン情報を生成し、トランシーバ１１０１は、サービスチェーン情報及びサービス識別情報をサービスチェーンシステムに送信する。トランシーバ１１０１は、サービスチェーンシステムによって返信された、サービス識別情報に対応するサービスのターゲットサービス情報を受信する。プロセッサ１１０２は、ターゲットサービス情報に従って、第１の制御ポリシを生成し、トランシーバ１１０１は、第１の制御ポリシをＰＣＥＦに送信し、これにより、ＰＣＥＦは、第１の制御ポリシに従って、ネットワークリソースを確保する。この場合、ユーザによって用いられるネットワークリソースは、付加価値処理の後で保証されたサービスに対応するネットワークリソースであり、これにより、ユーザの実際の要求を満たし、ユーザのサービスエクスペリエンスを向上させる。
【０２２６】
当業者によれば、簡便かつ簡潔な説明の目的で、前述のシステム、装置、及びユニットの具体的な動作プロセスについては、前述された方法の実施形態における対応プロセスが参照されてよく、本明細書において詳細は説明されないことが、明確に理解されよう。
【０２２７】
本願において提供されるいくつかの実施形態において、開示されるシステム、装置、及び方法は、他の方式で実装されてよいことを理解されたい。例えば、説明された装置の実施形態は、例に過ぎない。例えば、ユニット分割は、論理的な機能の分割に過ぎず、実際の実装においては、他の分割であってよい。例えば、複数のユニット又はコンポーネントは、他のシステムと組み合わせられてよく、又はこれに統合されてよい。又は、いくつかの機能は、無視されてよく、又は、実行されなくてよい。さらに、表示又は説明された相互連結もしくは直接連結又は通信接続は、いくつかのインタフェースを用いることによって実装されてよい。装置間又はユニット間の間接連結又は通信接続は、電子的、機械的、又は他の形式で、実装されてよい。
【０２２８】
別個の部分として説明されるユニットは、物理的に別個であってもなくてもよく、ユニットとして表示される部分は、物理的ユニットであってもなくてもよく、１の位置に位置付けられても、複数のネットワークユニットにおいて分散されてもよい。ユニットのいくつか又は全ては、実施形態の解決手段の目的を実現するための実際の要求に従って、選択されてよい。
【０２２９】
さらに、本発明の実施形態における機能ユニットは、１つの処理ユニットに統合されてよく、又はユニットの各々が物理的に単独で存在してよく、又は２つもしくはそれより多くのユニットが１つのユニットに統合される。統合されたユニットは、ハードウェアの形式で実装されてよく、又はソフトウェア機能ユニットの形式で実装されてよい。
【０２３０】
統合されたユニットがソフトウェア機能ユニットの形式で実装され、別個の製品として販売又は使用される場合、統合されたユニットは、コンピュータ可読記憶媒体に格納されてよい。このような理解に基づいて、本発明の技術的解決手段は基本的に、又は従来技術に寄与する部分は、又は技術的解決手段の全てもしくはいくつかは、ソフトウェア製品の形式で実装されてよい。ソフトウェア製品は、記憶媒体に格納され、本発明の実施形態において説明された方法の段階の全て又はいくつかを実行するように、コンピュータデバイス（パーソナルコンピュータ、サーバ、又はネットワークデバイスであってよい）に命令するためのいくつかの指示を含む。前述の記憶媒体は、ＵＳＢフラッシュドライブ、リムーバブルハードディスク、リードオンリメモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク、又は光ディスクのような、プログラムコードを格納可能な任意の媒体を含む。
【０２３１】
前述された実施形態は、本発明の技術的解決手段を説明することが意図されているに過ぎず、本発明を限定することが意図されるものではない。本発明は、前述された実施形態を参照して詳細に説明されたが、当業者であれば、本発明の実施形態の技術的解決手段の主旨及び範囲から逸脱することなく、前述された実施形態において説明された技術的解決手段にさらに修正を加え、又は、これらのいくつかの技術的特徴を均等物で置換し得ることを理解すべきである。
［項目１］
ポリシ及び課金ルール機能ＰＣＲＦによって、サービスのサービス情報を取得する段階であって、上記サービス情報は、サービス識別情報を含む、段階と、
上記ＰＣＲＦによって、ユーザ情報及び上記サービス情報に従って、上記サービスがサービス品質ＱｏＳ保証を必要とすることを示す情報及びサービスチェーン情報を取得する段階と、
上記ＰＣＲＦが、上記サービスチェーン情報に従って、上記サービスによって占有されるネットワークリソースが変更可能であると決定した場合に、上記ＰＣＲＦによって、上記サービス識別情報及び上記サービスが上記ＱｏＳ保証を必要とすることを示す上記情報を、付加価値サービスプロセッサに送信する段階と、
上記付加価値サービスプロセッサによって返信された、上記サービス識別情報に対応する上記サービスのターゲットサービス情報を、上記ＰＣＲＦによって受信する段階と、
上記ＰＣＲＦによって、上記ターゲットサービス情報に従って、第１の制御ポリシを生成し、上記第１の制御ポリシをポリシ及び課金実行機能ＰＣＥＦに送信し、これにより、上記ＰＣＥＦは、上記第１の制御ポリシに従って、第１のネットワークリソースを確保する、段階と、
を備えるサービス処理方法。
［項目２］
上記サービスチェーン情報は、付加価値サービスタイプリストを含み、上記ＰＣＲＦが、上記サービスチェーン情報に従って、上記サービスによって占有されるネットワークリソースが変更可能であると決定することは、具体的には、
上記ＰＣＲＦによって、上記付加価値サービスタイプリストが予め設定されたサービスタイプを含むか否かを決定し、上記付加価値サービスタイプリストが上記予め設定されたサービスタイプを含む場合に、上記サービスによって占有される上記ネットワークリソースが変更可能であると決定すること
を含む、項目１に記載のサービス処理方法。
［項目３］
上記サービスチェーン情報は、サービスチェーン識別情報を含み、上記ＰＣＲＦが、上記サービスチェーン情報に従って、上記サービスによって占有されるネットワークリソースが変更可能であると決定することは、具体的には、
上記ＰＣＲＦによって、上記サービスチェーン識別情報が予め設定された識別情報であるか否かを決定し、上記サービスチェーン識別情報が上記予め設定された識別情報である場合に、上記サービスによって占有される上記ネットワークリソースが変更可能であると決定すること
を含む、項目１に記載のサービス処理方法。
［項目４］
上記ＰＣＲＦによって、ユーザ情報及び上記サービス情報に従って、上記サービスがＱｏＳ保証を必要とすることを示す情報を取得する上記段階は、具体的には、
上記ＰＣＲＦが、上記ユーザ情報及び上記サービス情報に従って、上記サービスが上記ＱｏＳ保証を必要とすると決定した場合に、上記ＰＣＲＦによって、ＱｏＳ保証指示を生成する段階
を含み、
上記サービスが上記ＱｏＳ保証を必要とすることを示す上記情報は、上記ＱｏＳ保証指示である、
項目１から３のいずれか１項に記載のサービス処理方法。
［項目５］
上記サービス処理方法は、
上記ＰＣＲＦによって、上記ユーザ情報及び上記サービス情報に従って、制御パラメータを生成する段階
をさらに備え、
上記ＰＣＲＦによって、上記サービス識別情報及び上記サービスが上記ＱｏＳ保証を必要とすることを示す上記情報を、付加価値サービスプロセッサに送信する上記段階は、
上記ＰＣＲＦによって、上記サービス識別情報、上記サービスが上記ＱｏＳ保証を必要とすることを示す上記情報、及び上記制御パラメータを、上記付加価値サービスプロセッサに送信し、これにより、上記付加価値サービスプロセッサは、上記ターゲットサービス情報を取得すべく、上記制御パラメータに従って、上記サービス識別情報に対応する上記サービスを処理する、段階
を含む、
項目１から４のいずれか１項に記載のサービス処理方法。
［項目６］
上記サービス処理方法は、
上記ＰＣＲＦによって、上記付加価値サービスプロセッサにおいて障害が発生したという障害通知を受信する段階と、
上記ＰＣＲＦによって、上記障害通知及び上記サービス情報に従って、上記第１の制御ポリシを決定する段階と、
上記ＰＣＲＦによって、第２の制御ポリシを取得すべく、上記サービス情報に従って、上記第１の制御ポリシを修正する段階と、
上記ＰＣＲＦによって、上記第２の制御ポリシを上記ＰＣＥＦに送信し、これにより、上記ＰＣＥＦは、上記第２の制御ポリシに従って、上記第１のネットワークリソースを第２のネットワークリソースに変更する、段階と、
をさらに備える、
項目１から５のいずれか１項に記載のサービス処理方法。
［項目７］
上記ＰＣＲＦによって、上記障害通知及び上記サービス情報に従って、上記第１の制御ポリシを決定する上記段階は、
上記ＰＣＲＦによって、上記付加価値サービスプロセッサに対応し、上記障害通知に保持される付加価値サービスタイプに従って、上記付加価値サービスタイプに対応するサービスチェーン情報を決定する段階と、
上記ＰＣＲＦによって、上記サービスチェーン情報に従って、上記サービスチェーン情報に対応するターゲットサービス識別情報を決定する段階と、
上記ターゲットサービス識別情報が上記サービス情報に含まれる上記サービス識別情報と同じである場合に、上記ＰＣＲＦによって、上記ターゲットサービス識別情報に対応するポリシが上記第１の制御ポリシであると決定する段階と、
を含む、
項目６に記載のサービス処理方法。
［項目８］
ポリシ及び課金ルール機能ＰＣＲＦによって、サービスのサービス情報を取得する段階であって、上記サービス情報は、サービス識別情報を含む、段階と、
上記ＰＣＲＦが、ユーザ情報及び上記サービス情報に従って、上記サービスがサービス品質ＱｏＳ保証を必要とすると決定した場合に、上記ＰＣＲＦによって、サービスチェーン情報を生成する段階と、
上記ＰＣＲＦによって、上記サービスチェーン情報及び上記サービス識別情報をサービスチェーンシステムに送信する段階と、
上記ＰＣＲＦによって、上記サービスチェーンシステムによって返信された、上記サービス識別情報に対応する上記サービスのターゲットサービス情報を受信する段階と、
上記ＰＣＲＦによって、上記ターゲットサービス情報に従って、第１の制御ポリシを生成する段階と、
上記ＰＣＲＦによって、上記第１の制御ポリシをポリシ及び課金実行機能ＰＣＥＦに送信し、これにより、上記ＰＣＥＦは、上記第１の制御ポリシに従って、第１のネットワークリソースを確保する、段階と、
を備えるサービス処理方法。
［項目９］
上記ＰＣＲＦによって、上記サービスチェーンシステムによって返信された、上記サービス識別情報に対応する上記サービスのターゲットサービス情報を受信する上記段階は、
上記ＰＣＲＦによって、上記サービスチェーンシステムにおけるＱｏＳ保証のための付加価値サービスプロセッサによって返信されたターゲットサービス情報を受信する段階であって、上記ターゲットサービス情報は、ＱｏＳ保証のための上記付加価値サービスプロセッサが上記サービス識別情報に対応する上記サービスを処理した後で取得される、段階
を含む、
項目８に記載のサービス処理方法。
［項目１０］
サービスのサービス情報を取得するように構成される取得モジュールであって、上記サービス情報は、サービス識別情報を含む、取得モジュールと、
ユーザ情報及び上記サービス情報に従って、上記サービスがサービス品質ＱｏＳ保証を必要とすることを示す情報及びサービスチェーン情報を取得するように構成されるサービスチェーン決定モジュールと、
上記サービスチェーン情報に従って、上記サービスによって占有されるネットワークリソースが変更可能であると決定された場合に、上記サービス識別情報及び上記サービスが上記ＱｏＳ保証を必要とすることを示す上記情報を、付加価値サービスプロセッサに送信するように構成される第１の送信モジュールと、
上記付加価値サービスプロセッサによって返信された、上記サービス識別情報に対応する上記サービスのターゲットサービス情報を受信するように構成される受信モジュールと、
上記ターゲットサービス情報に従って、第１の制御ポリシを生成するように構成される制御決定モジュールと、
上記第１の制御ポリシをポリシ及び課金実行機能ＰＣＥＦに送信するように構成され、これにより、上記ＰＣＥＦは、上記第１の制御ポリシに従って、第１のネットワークリソースを確保する、第２の送信モジュールと、
を備えるポリシ及び課金ルール機能ＰＣＲＦ。
［項目１１］
上記ＰＣＲＦは、判断モジュールをさらに備え、
上記判断モジュールは、上記サービスチェーン情報に含まれる付加価値サービスタイプリストが予め設定されたサービスタイプを含むか否かを決定し、上記付加価値サービスタイプリストが上記予め設定されたサービスタイプを含む場合に、上記サービスによって占有される上記ネットワークリソースが変更可能であると決定するように構成される、又は、
上記判断モジュールは、上記サービスチェーン情報に含まれるサービスチェーン識別情報が予め設定された識別情報であるか否かを決定し、上記サービスチェーン識別情報が上記予め設定された識別情報である場合に、上記サービスによって占有される上記ネットワークリソースが変更可能であると決定するように構成される、
項目１０に記載のＰＣＲＦ。
［項目１２］
サービスチェーン決定モジュールが、ユーザ情報及び上記サービス情報に従って、上記サービスがサービス品質ＱｏＳ保証を必要とすることを示す情報を取得するように構成されることは、具体的には、上記サービスチェーン決定モジュールが、具体的には、上記ユーザ情報及び上記サービス情報に従って、上記サービスが上記ＱｏＳ保証を必要とすると決定された場合に、ＱｏＳ保証指示を生成するように構成され、上記サービスが上記ＱｏＳ保証を必要とすることを示す上記情報は、上記ＱｏＳ保証指示であることを含む、項目１０又は１１に記載のＰＣＲＦ。
［項目１３］
上記サービスチェーン決定モジュールは、上記ユーザ情報及び上記サービス情報に従って、制御パラメータを生成するようにさらに構成され、
上記第１の送信モジュールは、具体的には、上記サービスチェーン情報に従って、上記サービスによって占有される上記ネットワークリソースが変更可能であると決定された場合に、上記サービス識別情報、上記サービスが上記ＱｏＳ保証を必要とすることを示す上記情報、及び上記制御パラメータを、上記付加価値サービスプロセッサに送信するように構成され、これにより、上記付加価値サービスプロセッサは、上記ターゲットサービス情報を取得すべく、上記制御パラメータに従って、上記サービス識別情報に対応する上記サービスを処理する、
項目１０から１２のいずれか１項に記載のＰＣＲＦ。
［項目１４］
上記受信モジュールは、上記付加価値サービスプロセッサにおいて障害が発生したという障害通知を受信するようにさらに構成され、上記ＰＣＲＦは、決定モジュール及び修正モジュールをさらに備え、
上記決定モジュールは、上記障害通知及び上記サービス情報に従って、上記第１の制御ポリシを決定するように構成され、
上記修正モジュールは、第２の制御ポリシを取得すべく、上記サービス情報に従って、上記第１の制御ポリシを修正するように構成され、
上記第２の送信モジュールは、上記第２の制御ポリシを上記ＰＣＥＦに送信するようにさらに構成され、これにより、上記ＰＣＥＦは、上記第２の制御ポリシに従って、上記第１のネットワークリソースを第２のネットワークリソースに変更する、
項目１０から１３のいずれか１項に記載のＰＣＲＦ。
［項目１５］
上記決定モジュールは、具体的には、上記付加価値サービスプロセッサに対応し、上記障害通知に保持される付加価値サービスタイプに従って、上記付加価値サービスタイプに対応するサービスチェーン情報を決定し、上記サービスチェーン情報に従って、上記サービスチェーン情報に対応するターゲットサービス識別情報を決定し、上記ターゲットサービス識別情報が上記サービス情報に含まれる上記サービス識別情報と同じである場合に、上記ターゲットサービス識別情報に対応するポリシが上記第１の制御ポリシであると決定するように構成される、項目１４に記載のＰＣＲＦ。
［項目１６］
ポリシ及び課金ルール機能ＰＣＲＦと、付加価値サービスプロセッサと、を備え、
上記ＰＣＲＦは、
サービスのサービス情報であって、サービス識別情報を含むサービス情報を取得し、
ユーザ情報及び上記サービス情報に従って、上記サービスがサービス品質ＱｏＳ保証を必要とすることを示す情報及びサービスチェーン情報を取得し、
上記サービスチェーン情報に従って、上記サービスによって占有されるネットワークリソースが変更可能であると決定した場合に、上記サービス識別情報及び上記サービスが上記ＱｏＳ保証を必要とすることを示す上記情報を、上記付加価値サービスプロセッサに送信し、
上記付加価値サービスプロセッサによって返信された、上記サービス識別情報に対応する上記サービスのターゲットサービス情報を受信し、
上記ターゲットサービス情報に従って、第１の制御ポリシを生成し、上記第１の制御ポリシをポリシ及び課金実行機能ＰＣＥＦに送信し、これにより、上記ＰＣＥＦは、上記第１の制御ポリシに従って、第１のネットワークリソースを確保するように構成され、
上記付加価値サービスプロセッサは、上記サービス識別情報及び上記サービスが上記ＱｏＳ保証を必要とすることを示す上記情報を受信し、上記サービス識別情報に対応する上記サービスの上記ターゲットサービス情報を上記ＰＣＲＦに返信するように構成され、上記サービス識別情報及び上記サービスが上記ＱｏＳ保証を必要とすることを示す上記情報は、上記ＰＣＲＦによって送信される、
サービス処理システム。
［項目１７］
上記付加価値サービスプロセッサは、上記サービス識別情報に従って、上記サービスを決定し、上記ターゲットサービス情報を取得すべく、上記サービスを処理するようにさらに構成される、項目１６に記載のサービス処理システム。
［項目１８］
上記ＰＣＲＦは、上記ユーザ情報及び上記サービス情報に従って、制御パラメータを生成するようにさらに構成され、
上記ＰＣＲＦが、上記サービス識別情報及び上記サービスが上記ＱｏＳ保証を必要とすることを示す上記情報を上記付加価値サービスプロセッサに送信するように構成されることは、具体的には、上記ＰＣＲＦが、上記サービス識別情報、上記サービスが上記ＱｏＳ保証を必要とすることを示す上記情報、及び上記制御パラメータを、上記付加価値サービスプロセッサに送信するように構成されることを含み、
上記付加価値サービスプロセッサは、上記制御パラメータを受信し、上記サービス識別情報に従って、上記サービスを決定し、上記ターゲット情報を取得すべく、上記制御パラメータに従って、上記サービス識別情報に対応する上記サービスを処理するようにさらに構成される、
項目１６に記載のサービス処理システム。
［項目１９］
上記付加価値サービスプロセッサが、上記ターゲット情報を取得すべく、上記制御パラメータに従って、上記サービス識別情報に対応する上記サービスを処理するように構成されることは、具体的には、上記付加価値サービスプロセッサが、上記制御パラメータに従って、サービス最適化パラメータを選択し、上記ターゲットサービス情報を取得すべく、上記サービス最適化パラメータに従って、上記サービスを処理するように構成されることを含む、項目１８に記載のサービス処理システム。
［項目２０］
上記付加価値サービスプロセッサが、上記サービス識別情報に対応する上記サービスの上記ターゲットサービス情報を上記ＰＣＲＦに返信するように構成されることは、具体的には、上記付加価値サービスプロセッサが、上記サービスが上記ＱｏＳ保証を必要とすることを示す上記情報に従って、上記サービス識別情報に対応する上記サービスの上記ターゲットサービス情報を上記ＰＣＲＦに返信するように構成されることを含む、項目１６から１９のいずれか１項に記載のサービス処理システム。
【図１】
0006478358.tif 000004
【図２】
0006478358.tif 000005
【図３】
0006478358.tif 000006
【図４】
0006478358.tif 000007
【図５】
0006478358.tif 000008
【図６】
0006478358.tif 000009
【図７】
0006478358.tif 000010
【図８】
0006478358.tif 000011
【図９】
0006478358.tif 000012
【図１０】
0006478358.tif 000013
【図１１】
0006478358.tif 000014